(57)【特許請求の範囲】
【請求項１】
無線通信システムにおいて、端末がＨＡＲＱ−ＡＣＫ(Ｈｙｂｒｉｄ Ａｕｔｏｍａｔｉｃ Ｒｅｐｅａｔ ｒｅｑｕｅｓｔ-Ａｃｋｎｏｗｌｅｄｇｅｍｅｎｔ)信号を送信する方法であって、
Ｐｃｅｌｌ（Ｐｒｉｍａｒｙ  ｃｅｌｌ）の第１ＢＷＰ(Ｂａｎｄｗｉｄｔｈ Ｐａｒｔ)及びＳｃｅｌｌ（Ｓｅｃｏｎｄａｒｙ  ｃｅｌｌ）の第２ＢＷＰを介して、前記ＨＡＲＱ−ＡＣＫ信号に関連する少なくとも１つの第１ＰＤＳＣＨ(Ｐｈｙｓｉｃａｌ Ｄｏｗｎｌｉｎｋ Ｓｈａｒｅｄ Ｃｈａｎｎｅｌ)を受信し、
前記Ｐｃｅｌｌの前記第１ＢＷＰを介して、前記Ｐｃｅｌｌの前記第１ＢＷＰから前記Ｐｃｅｌｌの第３ＢＷＰに、下りリンク信号に関連する活性ＢＷＰに変更する為に、第１下りリンク制御情報(Ｄｏｗｎｌｉｎｋ Ｃｏｎｔｒｏｌ Ｉｎｆｏｒｍａｔｉｏｎ；ＤＣＩ)を受信し、
前記Ｓｃｅｌｌの前記第２ＢＷＰを介して、前記Ｓｃｅｌｌの前記第２ＢＷＰの為に、ＰＤＳＣＨをスケジューリングする為の第２ＤＣＩを受信し、
前記Ｓｃｅｌｌの前記第２ＢＷＰ及び前記Ｐｃｅｌｌの前記第３ＢＷＰを介して、前記ＨＡＲＱ−ＡＣＫ信号に関連する少なくとも１つの第２ＰＤＳＣＨを受信し、
前記Ｐｃｅｌｌに、前記Ｐｃｅｌｌの前記第３ＢＷＰのＨＡＲＱ−ＡＣＫコードブックタイプに基づいて決定された前記ＨＡＲＱ−ＡＣＫ信号を送信し、
前記ＨＡＲＱ−ＡＣＫ信号は、前記少なくとも１つの第１ＰＤＳＣＨの為のＨＡＲＱ−ＡＣＫ情報を含まず、
前記Ｐｃｅｌｌの前記第３ＢＷＰの前記ＨＡＲＱ−ＡＣＫコードブックタイプが準−静的ＨＡＲＱ−ＡＣＫコードブックであることに基づいて、前記Ｓ  ｃｅｌｌの前記第２ＢＷＰの前記ＨＡＲＱ−ＡＣＫコードブックタイプが、動的ＨＡＲＱ−ＡＣＫコードブック又は前記準−静的ＨＡＲＱ−ＡＣＫコードブックであり、
前記第２ＤＣＩは、ＤＡＩ(Ｄｏｗｎｌｉｎｋ Ａｓｓｉｇｎｍｅｎｔ Ｉｎｄｅｘ)フィールドを含まず、及び、
前記ＨＡＲＱ−ＡＣＫ信号は、前記準−静的ＨＡＲＱ−ＡＣＫコードブックに基づいて決定され、
前記Ｐｃｅｌｌの前記第３ＢＷＰの前記ＨＡＲＱ−ＡＣＫコードブックタイプが動的ＨＡＲＱ−ＡＣＫコードブックであることに基づいて、前記Ｓｃｅｌｌの前記第２ＢＷＰの前記ＨＡＲＱ−ＡＣＫコードブックタイプが、前記動的ＨＡＲＱ−ＡＣＫコードブック又は前記準−静的ＨＡＲＱ−ＡＣＫコードブックであり、
前記第２ＤＣＩは、前記ＤＡＩフィールドを含み、及び、
前記ＨＡＲＱ−ＡＣＫ信号は、前記動的ＨＡＲＱ−ＡＣＫコードブックに基づいて決定される、ＨＡＲＱ−ＡＣＫ信号送信方法。
【請求項２】
前記ＨＡＲＱ−ＡＣＫ信号は、
前記少なくとも１つの第２ＰＤＳＣＨのためのＨＡＲＱ−ＡＣＫ情報を含む、請求項１に記載のＨＡＲＱ−ＡＣＫ信号送信方法。
【請求項３】
前記ＨＡＲＱ−ＡＣＫ信号のためのビット数は、
前記ＨＡＲＱ−ＡＣＫ信号のフィードバックタイミングに関連する候補ＰＤＳＣＨ受信機会のうち、前記第３ＢＷＰに活性ＢＷＰが変更された後のスロットに位置する候補ＰＤＳＣＨ受信機会の数に基づく、請求項１に記載のＨＡＲＱ−ＡＣＫ信号送信方法。
【請求項４】
前記ＨＡＲＱ−ＡＣＫ信号のためのビット数は、
前記ＨＡＲＱ−ＡＣＫ信号に連関するＰＤＣＣＨモニタリング機会(ｍｏｎｉｔｏｒｉｎｇ ｏｃｃａｓｉｏｎｓ)によりスケジューリングされないＰＤＣＳＨのための領域のうち、前記活性ＢＷＰが前記第３ＢＷＰに変更された後のスロットに位置する領域の数と前記少なくとも１つの第２ＰＤＳＣＨの数の和に基づく、請求項１に記載のＨＡＲＱ−ＡＣＫ信号送信方法。
【請求項５】
前記ＨＡＲＱ−ＡＣＫ信号は、ＰＵＣＣＨ(Ｐｈｙｓｉｃａｌ Ｕｐｌｉｎｋ Ｃｏｎｔｒｏｌ Ｃｈａｎｎｅｌ)を介して送信される、請求項１に記載のＨＡＲＱ−ＡＣＫ信号送信方法。
【請求項６】
無線通信システムにおいて、ＨＡＲＱ−ＡＣＫ(Ｈｙｂｒｉｄ Ａｕｔｏｍａｔｉｃ Ｒｅｐｅａｔ Ｒｅｑｕｅｓｔ− ＡＣＫｎｏｗｌｅｄｇｅｍｅｎｔ)信号を送信する通信装置であって、
メモリ;及び
前記メモリに連結されたプロセッサ;を備えてなり、
前記プロセッサは、
Ｐｃｅｌｌ（Ｐｒｉｍａｒｙ  ｃｅｌｌ）の第１ＢＷＰ(Ｂａｎｄｗｉｄｔｈ Ｐａｒｔ)及びＳｃｅｌｌ（Ｓｅｃｏｎｄａｒｙ  ｃｅｌｌ）の第２ＢＷＰを介して、前記ＨＡＲＱ−ＡＣＫ信号に関連する少なくとも１つの第１ＰＤＳＣＨ(Ｐｈｙｓｉｃａｌ Ｄｏｗｎｌｉｎｋ Ｓｈａｒｅｄ Ｃｈａｎｎｅｌ)を受信し、
前記Ｐｃｅｌｌの前記第１ＢＷＰを介して、前記Ｐｃｅｌｌの前記第１ＢＷＰから前記Ｐｃｅｌｌの第３ＢＷＰに、下りリンク信号に関連する活性ＢＷＰに変更する為に、第１下りリンク制御情報(Ｄｏｗｎｌｉｎｋ Ｃｏｎｔｒｏｌ Ｉｎｆｏｒｍａｔｉｏｎ；ＤＣＩ)を受信し、
前記Ｓｃｅｌｌの前記第２ＢＷＰを介して、前記Ｓｃｅｌｌの前記第２ＢＷＰの為に、ＰＤＳＣＨをスケジューリングする為の第２ＤＣＩを受信し、
前記Ｓｃｅｌｌの前記第２ＢＷＰ及び前記Ｐｃｅｌｌの前記第３ＢＷＰを介して、前記ＨＡＲＱ−ＡＣＫ信号に関連する少なくとも１つの第２ＰＤＳＣＨを受信し、
前記Ｐｃｅｌｌに、前記Ｐｃｅｌｌの前記第３ＢＷＰのＨＡＲＱ−ＡＣＫコードブックタイプに基づいて決定された前記ＨＡＲＱ−ＡＣＫ信号を送信し、
前記ＨＡＲＱ−ＡＣＫ信号は、前記少なくとも１つの第１ＰＤＳＣＨの為のＨＡＲＱ−ＡＣＫ情報を含まず、
前記Ｐｃｅｌｌの前記第３ＢＷＰの前記ＨＡＲＱ−ＡＣＫコードブックタイプが準−静的ＨＡＲＱ−ＡＣＫコードブックであることに基づいて、前記Ｓ  ｃｅｌｌの前記第２ＢＷＰの前記ＨＡＲＱ−ＡＣＫコードブックタイプが、動的ＨＡＲＱ−ＡＣＫコードブック又は前記準−静的ＨＡＲＱ−ＡＣＫコードブックであり、
前記第２ＤＣＩは、ＤＡＩ(Ｄｏｗｎｌｉｎｋ Ａｓｓｉｇｎｍｅｎｔ Ｉｎｄｅｘ)フィールドを含まず、及び、
前記ＨＡＲＱ−ＡＣＫ信号は、前記準−静的ＨＡＲＱ−ＡＣＫコードブックに基づいて決定され、
前記Ｐｃｅｌｌの前記第３ＢＷＰの前記ＨＡＲＱ−ＡＣＫコードブックタイプが動的ＨＡＲＱ−ＡＣＫコードブックであることに基づいて、前記Ｓｃｅｌｌの前記第２ＢＷＰの前記ＨＡＲＱ−ＡＣＫコードブックタイプが、前記動的ＨＡＲＱ−ＡＣＫコードブック又は前記準−静的ＨＡＲＱ−ＡＣＫコードブックであり、
前記第２ＤＣＩは、前記ＤＡＩフィールドを含み、及び、
前記ＨＡＲＱ−ＡＣＫ信号は、前記動的ＨＡＲＱ−ＡＣＫコードブックに基づいて決定される、通信装置。
【請求項７】
前記ＨＡＲＱ−ＡＣＫ信号は、
前記少なくとも１つの第２ＰＤＳＣＨのためのＨＡＲＱ−ＡＣＫ情報を含む、請求項６に記載の通信装置。
【請求項８】
前記ＨＡＲＱ−ＡＣＫ信号のためのビット数は、
前記ＨＡＲＱ−ＡＣＫ信号のフィードバックタイミングに関連する候補ＰＤＳＣＨ受信機会のうち、前記第３ＢＷＰに活性ＢＷＰが変更された後のスロットに位置する候補ＰＤＳＣＨ受信機会の数に基づく、請求項６に記載の通信装置。
【請求項９】
前記ＨＡＲＱ−ＡＣＫ信号のためのビット数は、
前記ＨＡＲＱ−ＡＣＫ信号に連関するＰＤＣＣＨモニタリング機会(ｍｏｎｉｔｏｒｉｎｇ ｏｃｃａｓｉｏｎｓ)によりスケジューリングされないＰＤＣＳＨのための領域のうち、前記活性ＢＷＰが前記第３ＢＷＰに変更された後のスロットに位置する領域の数と前記少なくとも１つの第２ＰＤＳＣＨの数の和に基づく、請求項７に記載の通信装置。
【請求項１０】
前記ＨＡＲＱ−ＡＣＫ信号は、ＰＵＣＣＨ(Ｐｈｙｓｉｃａｌ Ｕｐｌｉｎｋ Ｃｏｎｔｒｏｌ Ｃｈａｎｎｅｌ)を介して送信される、請求項６に記載の通信装置。
【請求項１１】
無線通信システムにおいて、基地局がＨＡＲＱ−ＡＣＫ(Ｈｙｂｒｉｄ Ａｕｔｏｍａｔｉｃ Ｒｅｐｅａｔ Ｒｅｑｕｅｓｔ− ＡＣＫｎｏｗｌｅｄｇｅｍｅｎｔ)信号を受信する方法であって、
Ｐｃｅｌｌ（Ｐｒｉｍａｒｙ  ｃｅｌｌ）の第１ＢＷＰ(Ｂａｎｄｗｉｄｔｈ Ｐａｒｔ)及びＳｃｅｌｌ（Ｓｅｃｏｎｄａｒｙ  ｃｅｌｌ）の第２ＢＷＰを介して、前記ＨＡＲＱ−ＡＣＫ信号に関連する少なくとも１つの第１ＰＤＳＣＨ(Ｐｈｙｓｉｃａｌ Ｄｏｗｎｌｉｎｋ Ｓｈａｒｅｄ Ｃｈａｎｎｅｌ)を送信し、
前記Ｐｃｅｌｌの前記第１ＢＷＰを介して、前記Ｐｃｅｌｌの前記第１ＢＷＰから前記Ｐｃｅｌｌの第３ＢＷＰに、下りリンク信号に関連する活性ＢＷＰに変更する為に、第１下りリンク制御情報(Ｄｏｗｎｌｉｎｋ Ｃｏｎｔｒｏｌ Ｉｎｆｏｒｍａｔｉｏｎ；ＤＣＩ)を送信し、
前記Ｓｃｅｌｌの前記第２ＢＷＰを介して、前記Ｓｃｅｌｌの前記第２ＢＷＰの為に、ＰＤＳＣＨをスケジューリングする為の第２ＤＣＩを送信し、
前記Ｓｃｅｌｌの前記第２ＢＷＰ及び前記Ｐｃｅｌｌの前記第３ＢＷＰを介して、前記ＨＡＲＱ−ＡＣＫ信号に関連する少なくとも１つの第２ＰＤＳＣＨを送信し、
前記Ｐｃｅｌｌから、前記Ｐｃｅｌｌの前記第３ＢＷＰのＨＡＲＱ−ＡＣＫコードブックタイプに基づいて決定された前記ＨＡＲＱ−ＡＣＫ信号を受信し、
前記ＨＡＲＱ−ＡＣＫ信号は、前記少なくとも１つの第１ＰＤＳＣＨの為のＨＡＲＱ−ＡＣＫ情報を含まず、
前記Ｐｃｅｌｌの前記第３ＢＷＰの前記ＨＡＲＱ−ＡＣＫコードブックタイプが準−静的ＨＡＲＱ−ＡＣＫコードブックであることに基づいて、前記Ｓ  ｃｅｌｌの前記第２ＢＷＰの前記ＨＡＲＱ−ＡＣＫコードブックタイプが、動的ＨＡＲＱ−ＡＣＫコードブック又は前記準−静的ＨＡＲＱ−ＡＣＫコードブックであり、
前記第２ＤＣＩは、ＤＡＩ(Ｄｏｗｎｌｉｎｋ Ａｓｓｉｇｎｍｅｎｔ Ｉｎｄｅｘ)フィールドを含まず、及び、
前記ＨＡＲＱ−ＡＣＫ信号は、前記準−静的ＨＡＲＱ−ＡＣＫコードブックに基づいて決定され、
前記Ｐｃｅｌｌの前記第３ＢＷＰの前記ＨＡＲＱ−ＡＣＫコードブックタイプが動的ＨＡＲＱ−ＡＣＫコードブックであることに基づいて、前記Ｓｃｅｌｌの前記第２ＢＷＰの前記ＨＡＲＱ−ＡＣＫコードブックタイプが、前記動的ＨＡＲＱ−ＡＣＫコードブック又は前記準−静的ＨＡＲＱ−ＡＣＫコードブックであり、
前記第２ＤＣＩは、前記ＤＡＩフィールドを含み、及び、
前記ＨＡＲＱ−ＡＣＫ信号は、前記動的ＨＡＲＱ−ＡＣＫコードブックに基づいて決定される、ＨＡＲＱ−ＡＣＫ信号受信方法。
【発明の詳細な説明】
【技術分野】
【０００１】
本発明は、ＨＡＲＱ−ＡＣＫ信号を送受信する方法及びそのための装置に関し、より具体的には、ＢＷＰ(Ｂａｎｄｗｉｄｔｈ ｐａｒｔ)スイッチングが発生した場合、スイッチング前のＢＷＰで受信されたデータに対するＨＡＲＱ−ＡＣＫを送受信する方法及びそのための装置に関する。
【背景技術】
【０００２】
時代の流れによってより多くの通信装置がより大きな通信トラフィックを要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ Ｍｏｂｉｌｅ ＢｒｏａｄＢａｎｄ(ｅＭＢＢ)／Ｕｌｔｒａ−Ｒｅｌｉａｂｉｌｉｔｙ ａｎｄ Ｌｏｗ−Ｌａｔｅｎｃｙ Ｃｏｍｍｕｎｉｃａｔｉｏｎ(ＵＲＬＬＣ)／Ｍａｓｓｉｖｅ Ｍａｃｈｉｎｅ−ｔｙｐｅ Ｃｏｍｍｕｎｉｃａｔｉｏｎｓ(ｍＭＴＣ)などに通信シナリオが区分される。
【０００３】
ここで、ｅＭＢＢはＨｉｇｈ Ｓｐｅｃｔｒｕｍ Ｅｆｆｉｃｉｅｎｃｙ、Ｈｉｇｈ Ｕｓｅｒ Ｅｘｐｅｒｉｅｎｃｅｄ Ｄａｔａ Ｒａｔｅ、Ｈｉｇｈ Ｐｅａｋ Ｄａｔａ Ｒａｔｅなどの特性を有する次世代移動通信シナリオであり、ＵＲＬＬＣはＵｌｔｒａ Ｒｅｌｉａｂｌｅ、Ｕｌｔｒａ Ｌｏｗ Ｌａｔｅｎｃｙ、Ｕｌｔｒａ Ｈｉｇｈ Ａｖａｉｌａｂｉｌｉｔｙなどの特性を有する次世代移動通信シナリオであり(ｅ.ｇ.，Ｖ２Ｘ、Ｅｍｅｒｇｅｎｃｙ Ｓｅｒｖｉｃｅ、Ｒｅｍｏｔｅ Ｃｏｎｔｒｏｌ)、ｍＭＴＣはＬｏｗ Ｃｏｓｔ、Ｌｏｗ Ｅｎｅｒｇｙ、Ｓｈｏｒｔ Ｐａｃｋｅｔ、Ｍａｓｓｉｖｅ Ｃｏｎｎｅｃｔｉｖｉｔｙの特性を有する次世代移動通信シナリオである(ｅ.ｇ.，ＩｏＴ)。
【発明の概要】
【発明が解決しようとする課題】
【０００４】
本発明は、ＨＡＲＱ−ＡＣＫ信号を送受信する方法及びそのための装置を提供することを目的とする。
【０００５】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００６】
本発明の実施例による無線通信システムにおいて、端末がＨＡＲＱ−ＡＣＫ(Ｈｙｂｒｉｄ Ａｕｔｏｍａｔｉｃ Ｒｅｐｅａｔ ｒｅｑｕｅｓｔ- ＡＣＫｎｏｗｌｅｄｇｅｍｅｎｔ)信号を送信する方法において、第１ＢＷＰ(Ｂａｎｄｗｉｄｔｈ Ｐａｒｔ)内でＨＡＲＱ−ＡＣＫ信号に関連する少なくとも１つの第１ＰＤＳＣＨ(Ｐｈｙｓｉｃａｌ Ｄｏｗｎｌｉｎｋ Ｓｈａｒｅｄ Ｃｈａｎｎｅｌ)を受信し、下りリンク信号に関連する活性ＢＷＰを第１ＢＷＰから第２ＢＷＰに変更するための下りリンク制御情報(Ｄｏｗｎｌｉｎｋ Ｃｏｎｔｒｏｌ Ｉｎｆｏｒｍａｔｉｏｎ；ＤＣＩ)を受信し、第２ＢＷＰ内でＨＡＲＱ−ＡＣＫ信号に関連する少なくとも１つの第２ＰＤＳＣＨを受信し、ＨＡＲＱ−ＡＣＫ信号を送信することを特徴とし、ＨＡＲＱ−ＡＣＫ信号は少なくとも１つの第１ＰＤＳＣＨのためのＨＡＲＱ−ＡＣＫ情報は含まない。
【０００７】
この時、ＨＡＲＱ−ＡＣＫ信号は、少なくとも１つの第２ＰＤＳＣＨのためのＨＡＲＱ−ＡＣＫ情報を含む。
【０００８】
また、ＨＡＲＱ−ＡＣＫ信号のためのビット数は、ＨＡＲＱ−ＡＣＫ信号のフィードバックタイミングに関連する候補ＰＤＳＣＨ受信機会のうち、第２ＢＷＰに活性ＢＷＰが変更された後のスロットに位置する候補ＰＤＳＣＨ受信機会の数に基づく。
【０００９】
また、ＨＡＲＱ−ＡＣＫ信号のためのビット数は、ＨＡＲＱ−ＡＣＫ信号に連関するＰＤＣＣＨモニタリング機会(ｍｏｎｉｔｏｒｉｎｇ ｏｃｃａｓｉｏｎｓ)によりスケジューリングされないＰＤＣＳＨのための領域のうち、活性ＢＷＰが第２ＢＷＰに変更された後のスロットに位置する領域の数と少なくとも１つの第２ＰＤＳＣＨの数の和に基づく。
【００１０】
また、ＨＡＲＱ−ＡＣＫ信号は、準−静的(Ｓｅｍｉ−Ｓｔａｔｉｃ)ＨＡＲＱ−ＡＣＫコードブロック方式に基づいて生成される。
【００１１】
また、ＨＡＲＱ−ＡＣＫ信号は、ＰＵＣＣＨ(Ｐｈｙｓｉｃａｌ Ｕｐｌｉｎｋ Ｃｏｎｔｒｏｌ Ｃｈａｎｎｅｌ)を介して送信される。
【００１２】
本発明による無線通信システムにおいて、ＨＡＲＱ−ＡＣＫ(Ｈｙｂｒｉｄ Ａｕｔｏｍａｔｉｃ Ｒｅｐｅａｔ Ｒｅｑｕｅｓｔ− ＡＣＫｎｏｗｌｅｄｇｅｍｅｎｔ)信号を送信する通信装置において、メモリ;及び該メモリに連結されたプロセッサ;を含み、プロセッサは、第１ＢＷＰ(Ｂａｎｄｗｉｄｔｈ Ｐａｒｔ)内でＨＡＲＱ−ＡＣＫ信号に関連する少なくとも１つの第１ＰＤＳＣＨ(Ｐｈｙｓｉｃａｌ Ｄｏｗｎｌｉｎｋ Ｓｈａｒｅｄ Ｃｈａｎｎｅｌ)を受信し、下りリンク信号に関連する活性ＢＷＰを第１ＢＷＰから第２ＢＷＰに変更するための下りリンク制御情報(Ｄｏｗｎｌｉｎｋ Ｃｏｎｔｒｏｌ Ｉｎｆｏｒｍａｔｉｏｎ；ＤＣＩ)を受信し、第２ＢＷＰ内でＨＡＲＱ−ＡＣＫ信号に関連する少なくとも１つの第２ＰＤＳＣＨを受信し、ＨＡＲＱ−ＡＣＫ信号を送信することを制御することを特徴とし、ＨＡＲＱ−ＡＣＫ信号は少なくとも１つの第１ＰＤＳＣＨのためのＨＡＲＱ−ＡＣＫ情報は含まない。
【００１３】
この時、ＨＡＲＱ−ＡＣＫ信号は、少なくとも１つの第２ＰＤＳＣＨのためのＨＡＲＱ−ＡＣＫ情報を含む。
【００１４】
また、ＨＡＲＱ−ＡＣＫ信号のためのビット数は、ＨＡＲＱ−ＡＣＫ信号のフィードバックタイミングに関連する候補ＰＤＳＣＨ受信機会のうち、第２ＢＷＰに活性ＢＷＰが変更された後のスロットに位置する候補ＰＤＳＣＨ受信機会の数に基づく。
【００１５】
また、ＨＡＲＱ−ＡＣＫ信号のためのビット数は、ＨＡＲＱ−ＡＣＫ信号に連関するＰＤＣＣＨモニタリング機会(ｍｏｎｉｔｏｒｉｎｇ ｏｃｃａｓｉｏｎｓ)によりスケジューリングされないＰＤＣＳＨのための領域のうち、活性ＢＷＰが第２ＢＷＰに変更された後のスロットに位置する領域の数と少なくとも１つの第２ＰＤＳＣＨの数の和に基づく。
【００１６】
また、ＨＡＲＱ−ＡＣＫ信号は、準−静的(Ｓｅｍｉ−Ｓｔａｔｉｃ)ＨＡＲＱ−ＡＣＫコードブロック方式に基づいて生成される。
【００１７】
また、ＨＡＲＱ−ＡＣＫ信号は、ＰＵＣＣＨ(Ｐｈｙｓｉｃａｌ Ｕｐｌｉｎｋ Ｃｏｎｔｒｏｌ Ｃｈａｎｎｅｌ)を介して送信される。
【００１８】
本発明の実施例による無線通信システムにおいて、基地局がＨＡＲＱ−ＡＣＫ(Ｈｙｂｒｉｄ Ａｕｔｏｍａｔｉｃ Ｒｅｐｅａｔ Ｒｅｑｕｅｓｔ− ＡＣＫｎｏｗｌｅｄｇｅｍｅｎｔ)信号を受信する方法において、第１ＢＷＰ(Ｂａｎｄｗｉｄｔｈ Ｐａｒｔ)内でＨＡＲＱ−ＡＣＫ信号に関連する少なくとも１つの第１ＰＤＳＣＨ(Ｐｈｙｓｉｃａｌ Ｄｏｗｎｌｉｎｋ Ｓｈａｒｅｄ Ｃｈａｎｎｅｌ)を送信し、下りリンク信号に関連する活性ＢＷＰを第１ＢＷＰから第２ＢＷＰに変更するための下りリンク制御情報(Ｄｏｗｎｌｉｎｋ Ｃｏｎｔｒｏｌ Ｉｎｆｏｒｍａｔｉｏｎ；ＤＣＩ)を送信し、第２ＢＷＰ内でＨＡＲＱ−ＡＣＫ信号に関連する少なくとも１つの第２ＰＤＳＣＨを送信し、ＨＡＲＱ−ＡＣＫ信号を受信することを特徴とし、ＨＡＲＱ−ＡＣＫ信号は少なくとも１つの第１ＰＤＳＣＨのためのＨＡＲＱ−ＡＣＫ情報は含まない。
【発明の効果】
【００１９】
本発明によれば、ＢＷＰが動的に変更する場合にも、ＨＡＲＱ−ＡＣＫコードブック(ｃｏｄｅｂｏｏｋ)を効率的に生産して、効率的なＨＡＲＱ−ＡＣＫ送信が可能である。
【００２０】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００２１】
【図１】図１は、ＧＰＰ無線接続網の規格に基づく端末とＥ−ＵＴＲＡＮの間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ)及び使用者平面(Ｕｓｅｒ Ｐｌａｎｅ)構造を示す図である。
【図２】図２は、３ＧＰＰシステムに用いられる物理チャネル及びこれらを用いた一般的な信号送信方法を説明する図である。
【図３】図３は、ＮＲシステムで使用される無線フレーム及びスロットの構造を説明するための図である。
【図４】図４は、ＮＲシステムで使用される無線フレーム及びスロットの構造を説明するための図である。
【図５】図５は、ＮＲシステムで使用される無線フレーム及びスロットの構造を説明するための図である。
【図６】図６は、送受信器ユニット(ｔｒａｎｓｃｅｉｖｅｒ ｕｎｉｔ、ＴＸＲＵ)及び物理的アンテナの観点でハイブリッドビーム形成構造を抽象的に示した図である。
【図７】図７は、下りリンクの伝送過程において同期信号とシステム情報に関するビームスイーピング(Ｂｅａｍ Ｓｗｅｅｐｉｎｇ)動作を示す図である。
【図８】図８は、新しい無線接続技術(ｎｅｗ ｒａｄｉｏ ａｃｃｅｓｓ ｔｅｃｈｎｏｌｏｇｙ、ＮＲ)システムのセルを例示する図である。
【図９】図９は、ＮＲシステムにおけるＨＡＲＱ−ＡＣＫタイミングについて説明する図である。
【図１０】図１０は、ＮＲシステムにおいてコードブロックグループ(Ｃｏｄｅ Ｂｌｏｃｋ Ｇｒｏｕｐ；ＣＢＧ)単位のＨＡＲＱ−ＡＣＫ送信を説明する図である。
【図１１】図１１は、ＮＲシステムにおいてコードブロックグループ(Ｃｏｄｅ Ｂｌｏｃｋ Ｇｒｏｕｐ；ＣＢＧ)単位のＨＡＲＱ−ＡＣＫ送信を説明する図である。
【図１２】図１２は、搬送波集成(Ｃａｒｒｉｅｒ Ａｇｇｒｅｇａｔｉｏｎ；ＣＡ)におけるＨＡＲＱ−ＡＣＫ送信を説明する図である。
【図１３】図１３は、搬送波集成(Ｃａｒｒｉｅｒ Ａｇｇｒｅｇａｔｉｏｎ；ＣＡ)におけるＨＡＲＱ−ＡＣＫ送信を説明する図である。
【図１４】図１４は、搬送波集成(Ｃａｒｒｉｅｒ Ａｇｇｒｅｇａｔｉｏｎ；ＣＡ)におけるＨＡＲＱ−ＡＣＫ送信を説明する図である。
【図１５】図１５は、本発明の実施例によるＨＡＲＱ−ＡＣＫを送受信するための端末、基地局及びネットワーク観点での動作を説明する図である。
【図１６】図１６は、本発明の実施例によるＨＡＲＱ−ＡＣＫを送受信するための端末、基地局及びネットワーク観点での動作を説明する図である。
【図１７】図１７は、本発明の実施例によるＨＡＲＱ−ＡＣＫを送受信するための端末、基地局及びネットワーク観点での動作を説明する図である。
【図１８】図１８は、本発明を行う無線装置の構成要素を示すブロック図である。
【発明を実施するための形態】
【００２２】
以下、添付図面を参照しながら説明する本発明の実施例によって本発明の構成、作用及び他の特徴をより容易に理解できるであろう。以下の実施例は本発明の技術的特徴が３ＧＰＰシステムに適用された例である。
【００２３】
この明細書では、ＬＴＥシステム、ＬＴＥ−Ａシステム及びＮＲシステムを用いて本発明の実施例を説明しているが、これは一例であり、本発明の実施例は上記定義に該当するいかなる通信システムにも適用することができる。
【００２４】
また、この明細書では、基地局の名称がＲＲＨ(ｒｅｍｏｔｅ ｒａｄｉｏ ｈｅａｄ)、ｅＮＢ、ＴＰ(ｔｒａｎｓｍｉｓｓｉｏｎ ｐｏｉｎｔ)、ＲＰ(ｒｅｃｅｐｔｉｏｎ ｐｏｉｎｔ)、中継器(ｒｅｌａｙ)などの包括的な用語で使用されている。
【００２５】
３ＧＰＰ基盤の通信標準は、上位階層から生じる情報を運ぶリソース要素に対応する下りリンク物理チャネルと、物理階層によって用いられるが、上位階層から生じる情報を搬送しないリソース要素に対応する下りリンク物理信号を定義する。例えば、物理下りリンク共有チャネル(ｐｈｙｓｉｃａｌ ｄｏｗｎｌｉｎｋ ｓｈａｒｅｄ ｃｈａｎｎｅｌ、ＰＤＳＣＨ)、物理ブロードキャストチャネル(ｐｈｙｓｉｃａｌ ｂｒｏａｄｃａｓｔ ｃｈａｎｎｅｌ、ＰＢＣＨ)、物理マルチキャストチャネル(ｐｈｙｓｉｃａｌ ｍｕｌｔｉｃａｓｔ ｃｈａｎｎｅｌ、ＰＭＣＨ)、物理制御フォーマット指示子チャネル(ｐｈｙｓｉｃａｌ ｃｏｎｔｒｏｌ ｆｏｒｍａｔ ｉｎｄｉｃａｔｏｒ ｃｈａｎｎｅｌ、ＰＣＦＩＣＨ)、物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)及び物理ハイブリッドＡＲＱ指示子チャネル(ｐｈｙｓｉｃａｌ ｈｙｂｒｉｄ ＡＲＱ ｉｎｄｉｃａｔｏｒ ｃｈａｎｎｅｌ、ＰＨＩＣＨ)が下りリンク物理チャネルとして定義されており、参照信号と同期信号が下りリンク物理信号として定義されている。パイロット(ｐｉｌｏｔ)とも呼ばれる参照信号(ｒｅｆｅｒｅｎｃｅ ｓｉｇｎａｌ、ＲＳ)は、ｅＮＢとＵＥが互いに知っている既に定義された特別な波形の信号を意味するが、例えば、セル特定的ＲＳ(ｃｅｌｌ ｓｐｅｃｉｆｉｃ ＲＳ)、ＵＥ−特定的ＲＳ(ＵＥ−ｓｐｅｃｉｆｉｃ ＲＳ、ＵＥ−ＲＳ)、ポジショニングＲＳ(ｐｏｓｉｔｉｏｎｉｎｇ ＲＳ、ＰＲＳ)及びチャネル状態情報ＲＳ(ｃｈａｎｎｅｌ ｓｔａｔｅ ｉｎｆｏｒｍａｔｉｏｎ ＲＳ、ＣＳＩ−ＲＳ)が下りリンク参照信号として定義される。３ＧＰＰ ＬＴＥ／ＬＴＥ−Ａ標準は、上位階層から生じる情報を搬送するリソース要素に対応する上りリンク物理チャネルと、物理階層によって用いられるが、上位階層から生じる情報を搬送しないリソース要素に対応する上りリンク物理信号を定義している。例えば、物理上りリンク共有チャネル(ｐｈｙｓｉｃａｌ ｕｐｌｉｎｋ ｓｈａｒｅｄ ｃｈａｎｎｅｌ、ＰＵＳＣＨ)、物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)、物理任意接続チャネル(ｐｈｙｓｉｃａｌ ｒａｎｄｏｍ ａｃｃｅｓｓ ｃｈａｎｎｅｌ、ＰＲＡＣＨ)が上りリンク物理チャネルとして定義され、上りリンク制御／データ信号のための復調参照信号(ｄｅｍｏｄｕｌａｔｉｏｎ ｒｅｆｅｒｅｎｃｅ ｓｉｇｎａｌ、ＤＭＲＳ)と上りリンクチャネル測定に用いられるサウンディング参照信号(ｓｏｕｎｄｉｎｇ ｒｅｆｅｒｅｎｃｅ ｓｉｇｎａｌ、ＳＲＳ)が定義される。
【００２６】
本発明で、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ((Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ Ｃｈａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを搬送する時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／ランダムアクセス信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素(ｒｅｓｏｕｒｃｅ ｅｌｅｍｅｎｔ、ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨの上で／を通じて、上りリンク制御情報／上りリンクデータ／任意接続信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨの上で／を通じて、下りリンクデータ／制御情報を送信することと同じ意味で使われる。
【００２７】
以下では、ＣＲＳ／ＤＭＲＳ／ＣＳＩ−ＲＳ／ＳＲＳ／ＵＥ−ＲＳが割り当てられた或いは設定された(ｃｏｎｆｉｇｕｒｅｄ)ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ(ｔｒａｃｋｉｎｇ ＲＳ、ＴＲＳ)が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ ＲＥと称する。また、ＴＲＳ送信のために設定された(ｃｏｎｆｉｇｕｒｅｄ)サブフレームを、ＴＲＳサブフレームと称する。また、ブロードキャスト信号が送信されるサブフレームを、ブロードキャストサブフレーム或いはＰＢＣＨサブフレームと称し、同期信号(例えば、ＰＳＳ及び／又はＳＳＳ)が送信されるサブフレームを、同期信号サブフレーム或いはＰＳＳ／ＳＳＳサブフレームと称する。ＰＳＳ／ＳＳＳが割り当てられた或いは設定された(ｃｏｎｆｉｇｕｒｅｄ)ＯＦＤＭシンボル／副搬送波／ＲＥをそれぞれ、ＰＳＳ／ＳＳＳシンボル／副搬送波／ＲＥと称する。
【００２８】
本発明で、ＣＲＳポート、ＵＥ−ＲＳポート、ＣＳＩ−ＲＳポート、ＴＲＳポートとは、それぞれ、ＣＲＳを送信するように設定された(ｃｏｎｆｉｇｕｒｅｄ)アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された(ｃｏｎｆｉｇｕｒｅｄ)アンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。従って、ＣＲＳ／ＵＥ−ＲＳ／ＣＳＩ−ＲＳ／ＴＲＳポートという用語が、一定リソース領域内でＣＲＳ／ＵＥ−ＲＳ／ＣＳＩ−ＲＳ／ＴＲＳが占有するＲＥのパターンを意味する用語として用いられることもある。
【００２９】
図１は３ＧＰＰ無線接続網の規格に基づく端末とＥ−ＵＴＲＡＮの間の無線インターフェースプロトコルの制御平面(ｃｏｎｔｒｏｌ ｐｌａｎｅ)及び使用者平面(ｕｓｅｒ ｐｌａｎｅ)の構造を示す図である。制御平面は端末(Ｕｓｅｒ Ｅｑｕｉｐｍｅｎｔ；ＵＥ)とネットワークが信号を管理するために用いる制御メッセージが送信される通路を意味する。使用者平面はアプリケーション階層で生成されたデータ、例えば、音声データ又はインターネットパケットデータなどが送信される通路を意味する。
【００３０】
第１の階層である物理階層は、物理チャネル(Ｐｈｙｓｉｃａｌ Ｃｈａｎｎｅｌ)を用いて上位階層に情報送信サービス(Ｉｎｆｏｒｍａｔｉｏｎ Ｔｒａｎｓｆｅｒ Ｓｅｒｖｉｃｅ)を提供する。物理階層は上位にある媒体接続制御(Ｍｅｄｉｕｍ Ａｃｃｅｓｓ Ｃｏｎｔｒｏｌ)階層とは送信チャネル(Ｔｒａｎｓｐｏｒｔ Ｃｈａｎｎｅｌ)を介して連結される。この送信チャネルを介して媒体接続制御階層と物理階層の間でデータが移動する。送信側と受信側の物理階層の間では物理チャネルを介してデータが移動する。物理チャネルは時間と周波数を無線リソースとして活用する。具体的には、物理チャネルは、下りリンクにおいて、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいては、ＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００３１】
第２の階層である媒体接続制御(Ｍｅｄｉｕｍ Ａｃｃｅｓｓ Ｃｏｎｔｒｏｌ；ＭＡＣ)階層は、論理チャネル(Ｌｏｇｉｃａｌ Ｃｈａｎｎｅｌ)を介して上位階層である無線リンク制御(Ｒａｄｉｏ Ｌｉｎｋ Ｃｏｎｔｒｏｌ；ＲＬＣ)階層にサービスを提供する。第２の階層のＲＬＣ階層は信頼性のあるデータ送信を支援する。ＲＬＣ階層の機能はＭＡＣ内部の機能ブロックにより具現できる。第２の階層のＰＤＣＰ階層は帯域幅が狭い無線インターフェースにおいてＩＰｖ４或いはＩＰｖ６のようなＩＰパケットを効率的に送信するために不要な制御情報を減らすヘッダ圧縮(Ｈｅａｄｅｒ Ｃｏｍｐｒｅｓｓｉｏｎ)の機能を果たす。
【００３２】
第３の階層である最下部に位置する無線リソース制御(Ｒａｄｉｏ Ｒｅｓｏｕｒｃｅ Ｃｏｎｔｒｏｌ；ＲＲＣ)階層は、制御平面でのみ定義される。ＲＲＣ階層は無線ベアラ(Ｒａｄｉｏ Ｂｅａｒｅｒ)の設定(ｃｏｎｆｉｇｕｒａｔｉｏｎ)、再設定(ｒｅ−ｃｏｎｆｉｇｕｒａｔｉｏｎ)及び解除(ｒｅｌｅａｓｅ)に関連して論理チャネル、送信チャネル及び物理チャネルの制御を担当する。無線ベアラは端末とネットワークの間のデータ伝達のために第２の階層により提供されるサービスを意味する。このために、端末とネットワークのＲＲＣ階層は互いにＲＲＣメッセージを交換する。端末とネットワークのＲＲＣ階層の間にＲＲＣ連結(ＲＲＣ Ｃｏｎｎｅｃｔｅｄ)がある場合、端末はＲＲＣ連結状態(Ｃｏｎｎｅｃｔｅｄ Ｍｏｄｅ)であり、そうではない場合はＲＲＣ休止状態(Ｉｄｌｅ Ｍｏｄｅ)である。ＲＲＣ階層の上位にあるＮＡＳ(Ｎｏｎ−Ａｃｃｅｓｓ Ｓｔｒａｔｕｍ)階層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００３３】
ネットワークから端末にデータを送信する下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、使用者トラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージの場合、下りＳＣＨを介して送信され、又は特の下りＭＣＨ(Ｍｕｌｔｉｃａｓｔ Ｃｈａｎｎｅｌ)を介して送信されることができる。なお、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、使用者トラフィックや制御メッセージを送信する上りＳＣＨ(Ｓｈａｒｅｄ Ｃｈａｎｎｅｌ)がある。送信チャネルの上位にありかつ送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００３４】
図２は３ＧＰＰシステムに用いられる物理チャネル及びこれらを用いた一般的な信号送信方法を説明する図である。
【００３５】
端末は、電源がオンになったり新たにセルに進入した場合は、基地局と同期を合わせるなどの初期セル探索(Ｉｎｉｔｉａｌ ｃｅｌｌ ｓｅａｒｃｈ)作業を行う(Ｓ２０１)。このために、端末は基地局から主同期チャネル(Ｐｒｉｍａｒｙ Ｓｙｎｃｈｒｏｎｉｚａｔｉｏｎ Ｃｈａｎｎｅｌ；Ｐ−ＳＣＨ)及び副同期チャネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信することによって基地局と同期を合わせ、セルＩＤなどの情報を得ることができる。その後、端末は基地局から物理放送チャネル(Ｐｈｙｓｉｃａｌ Ｂｒｏａｄｃａｓｔ Ｃｈａｎｎｅｌ)を受信してセル内の放送情報を得ることができる。なお、端末は初期セル探索段階において下りリンク参照信号(Ｄｏｗｎｌｉｎｋ Ｒｅｆｅｒｅｎｃｅ Ｓｉｇｎａｌ；ＤＬ ＲＳ)を受信して下りリンクチャネル状態を確認することができる。
【００３６】
初期セル探索を終了した端末は、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)及び該ＰＤＣＣＨに載せられた情報によって物理下りリンク共有チャネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を得ることができる(Ｓ２０２)。
【００３７】
一方、基地局に最初に接続したか或いは信号伝送のための無線リソースがない場合は、端末は、基地局に対して任意接続過程(Ｒａｎｄｏｍ Ａｃｃｅｓｓ Ｐｒｏｃｅｄｕｒｅ；ＲＡＣＨ)を行うことができる(段階Ｓ２０３〜段階Ｓ２０６)。このために、端末は、物理任意接続チャネル(Ｐｈｙｓｉｃａｌ Ｒａｎｄｏｍ Ａｃｃｅｓｓ Ｃｈａｎｎｅｌ；ＰＲＡＣＨ)を介して特定シーケンスをプリアンブルとして伝送し(Ｓ２０３及びＳ２０５)、ＰＤＣＣＨ及び対応するＰＤＳＣＨを介してプリアンブルに対する応答メッセージを受信することができる(Ｓ２０４及びＳ２０６)。競争基盤のＲＡＣＨの場合、さらに衝突解決手順(Ｃｏｎｔｅｎｔｉｏｎ Ｒｅｓｏｌｕｔｉｏｎ Ｐｒｏｃｅｄｕｒｅ)を行うことができる。
【００３８】
上述した手順を行った端末は、その後、一般的な上り／下りリンク信号伝送の手順として、ＰＤＣＣＨ／ＰＤＳＣＨ受信(Ｓ２０７)及び物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)の送信(Ｓ２０８)を行う。特に、端末は、ＰＤＣＣＨを介して下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報などの制御情報を含み、その使用目的に応じてフォーマットが互いに異なる。
【００３９】
一方、端末が上りリンクを通じて基地局に伝送したり、端末が基地局から受信したりする制御情報は、下り／上りリンクＡＣＫ／ＮＡＣＫ信号、ＣＱＩ(Ｃｈａｎｎｅｌ Ｑｕａｌｉｔｙ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムの場合、端末は上述したＣＱＩ／ＰＭＩ／ＲＩなどの制御情報をＰＵＳＣＨ及び／又はＰＵＣＣＨを介して伝送することができる。
【００４０】
図３はＮＲにおいて使用される無線フレームの構造を例示している。
【００４１】
ＮＲにおいて、上りリンク及び下りリンク送信はフレームで構成される。無線フレームは１０ｍｓの長さを有し、２つの５ｍｓハーフフレーム(Ｈａｌｆ−Ｆｒａｍｅ、ＨＦ)と定義される。ハーフフレームは５つの１ｍｓサブフレーム(Ｓｕｂｆｒａｍｅ、ＳＦ)と定義される。サブフレームは１つ以上のスロットに分割され、サブフレーム内のスロット数はＳＣＳ(Ｓｕｂｃａｒｒｉｅｒ Ｓｐａｃｉｎｇ)に依存する。各スロットはＣＰ(ｃｙｃｌｉｃ ｐｒｅｆｉｘ)によって１２つ又は１４つのＯＦＤＭ(Ａ)シンボルを含む。一般ＣＰが使用される場合、各スロットは１４つのシンボルを含む。拡張ＣＰが使用される場合は、各スロットは１２つのシンボルを含む。ここで、シンボルはＯＦＤＭシンボル(或いは、ＣＰ−ＯＦＤＭシンボル)、ＳＣ−ＦＤＭＡシンボル(或いは、ＤＦＴ−ｓ−ＯＦＤＭシンボル)を含むことができる。
【００４２】
表１は一般ＣＰが使用される場合、ＳＣＳによってスロットごとのシンボル数、フレームごとのスロット数とサブフレームごとのスロット数が変化することを例示している。
【００４３】
【表１】
0006910458.tif 000002
【００４４】
＊Ｎslotsymb:スロット内のシンボル数、＊Ｎframe,uslot:フレーム内のスロット数
【００４５】
＊Ｎsubframe,uslot:サブフレーム内のスロット数
【００４６】
表２は拡張ＣＰが使用される場合、ＳＣＳによってスロットごとのシンボル数、フレームごとのスロット数とサブフレームごとのスロット数が変化することを例示している。
【００４７】
【表２】
0006910458.tif 000003
【００４８】
ＮＲシステムでは１つの端末に併合される複数のセル間でＯＦＤＭ(Ａ)ニューマロロジー(ｎｕｍｅｒｏｌｏｇｙ)(例えば、ＳＣＳ、ＣＰ長さなど)が異なるように設定されることができる。これにより、同じ数のシンボルで構成された時間リソース(例えば、ＳＦ、スロット又はＴＴＩ)(便宜上、ＴＵ(Ｔｉｍｅ Ｕｎｉｔ)と通称)の(絶対時間)区間が併合されたセル間で異なるように設定されることができる。図４はＮＲフレームのスロット構造を例示している。スロットは時間ドメインで複数のシンボルを含む。例えば、一般ＣＰの場合、１つのスロットが７つのシンボルを含むが、拡張ＣＰの場合は、１つのスロットが６つのシンボルを含む。搬送波は周波数ドメインで複数の副搬送波を含む。ＲＢ(Ｒｅｓｏｕｒｃｅ Ｂｌｏｃｋ)は周波数ドメインで複数(例えば、１２)の連続する副搬送波と定義される。ＢＷＰは周波数ドメインで複数の連続する(Ｐ)ＲＢと定義され、１つのニューマロロジー(ｎｕｍｅｒｏｌｏｇｙ)(例えば、ＳＣＳ、ＣＰ長さなど)に対応することができる。搬送波は最大Ｎ個(例えば、５つ)のＢＷＰを含む。データ通信は活性化されたＢＷＰで行われ、１つの端末には１つのＢＷＰのみが活性化される。リソースグリッドにおいて各々の要素はリソース要素(Ｒｅｓｏｕｒｃｅ Ｅｌｅｍｅｎｔ、ＲＥ)と称され、１つの複素シンボルがマッピングされることができる。
【００４９】
図５は自己完結(Ｓｅｌｆ−ｃｏｎｔａｉｎｅｄ)スロットの構造を例示している。ＮＲシステムにおいて、フレームは１つのスロット内にＤＬ制御チャネル、ＤＬ又はＵＬデータ、ＵＬ制御チャネルなどを全て含むことができる自己完結構造を特徴とする。例えば、スロット内の最初のＮ個のシンボルは、ＤＬ制御チャネルを送信する時に使用され(以下、ＤＬ制御領域)、スロット内の最後のＭ個のシンボルはＵＬ制御チャネルを送信する時に使用される(以下、ＵＬ制御領域)。ＮとＭは各々０以上の整数である。ＤＬ制御領域とＵＬ制御領域の間におけるリソース領域(以下、データ領域)は、ＤＬデータ送信のために使用されるか、又はＵＬデータ送信のために使用される。一例として、以下の構成を考慮できる。各区間は時間順である。
【００５０】
１．ＤＬのみの構成
【００５１】
２．ＵＬのみの構成
【００５２】
３．混合ＵＬ−ＤＬの構成
【００５３】
−ＤＬ領域＋ＧＰ(Ｇｕａｒｄ Ｐｅｒｉｏｄ)＋ＵＬ制御領域
【００５４】
−ＤＬ制御領域＋ＧＰ＋ＵＬ領域
【００５５】
＊ＤＬ領域:(i)ＤＬデータ領域、(ii)ＤＬ制御領域＋ＤＬデータ領域
【００５６】
＊ＵＬ領域:(i)ＵＬデータ領域、(ii)ＵＬデータ領域＋ＵＬ制御領域 
【００５７】
ＤＬ制御領域ではＰＤＣＣＨが送信され、ＤＬデータ領域ではＰＤＳＣＨが送信されることができる。ＵＬ制御領域ではＰＵＣＣＨが送信され、ＵＬデータ領域ではＰＵＳＣＨが送信されることができる。ＰＤＣＣＨではＤＣＩ(Ｄｏｗｎｌｉｎｋ Ｃｏｎｔｒｏｌ Ｉｎｆｏｒｍａｔｉｏｎ)、例えば、ＤＬデータスケジューリング情報、ＵＬデータスケジューリング情報などが送信される。ＰＵＣＣＨではＵＣＩ(Ｕｐｌｉｎｋ Ｃｏｎｔｒｏｌ Ｉｎｆｏｒｍａｔｉｏｎ)、例えば、ＤＬデータに対するＡＣＫ／ＮＡＣＫ(Ｐｏｓｉｔｉｖｅ Ａｃｋｎｏｗｌｅｄｇｅｍｅｎｔ／Ｎｅｇａｔｉｖｅ Ａｃｋｎｏｗｌｅｄｇｅｍｅｎｔ)情報、ＣＳＩ(Ｃｈａｎｎｅｌ Ｓｔａｔｅ Ｉｎｆｏｒｍａｔｉｏｎ)情報、ＳＲ(Ｓｃｈｅｄｕｌｉｎｇ Ｒｅｑｕｅｓｔ)などが送信される。ＧＰは基地局と端末が送信モードから受信モードに転換する過程又は受信モードから送信モードに転換する過程で時間ギャップを提供する。サブフレーム内でＤＬからＵＬに転換する時点の一部のシンボルがＧＰとして設定されることができる。
【００５８】
なお、ＮＲシステムは広い周波数帯域を用いて多数のユーザに高い送信率を維持しながらデータを送信するために高い超高周波帯域、即ち、６ＧＨｚ以上のミリメートル周波数帯域を用いる方案を考慮している。３ＧＰＰではこれをＮＲと称しており、以下本発明ではＮＲシステムと称する。しかし、ミリメートル周波数帯域は非常に高い周波数帯域を用いるため、距離による信号減殺が急激であるという周波数特性を有する。従って、少なくとも６ＧＨｚ以上の帯域を使用するＮＲシステムでは、急激な電波減殺特性を補償するために、信号送信を全方向ではなく特定の方向にエネルギーを集めて送信することにより、急激な電波減殺によるカバレッジ減少の問題を解決する狭ビーム(ｎａｒｒｏｗ ｂｅａｍ)送信技法を使用している。しかし、１つの狭ビームのみでサービスする場合、１つの基地局がサービスを提供する範囲が狭くなるので、基地局は多数の狭ビームを集めて広帯域にサービスを提供する。
【００５９】
ミリメートル周波数帯域、即ち、ミリメートル波長(ｍｉｌｌｉｍｅｔｅｒ ｗａｖｅ、ｍｍＷ)では波長が短くなって、同じ面積に多数のアンテナ要素を設けることが可能になる。例えば、１ｃｍ程度の波長を有する３０ＧＨｚ帯域においては５ｂｙ５ｃｍのパネルに０.５λ(波長)間隔で２次元配列形態で総１００個のアンテナ要素を設けることができる。よって、ｍｍＷでは、多数のアンテナ要素を使用してビームフォーミング利得を高めてカバレッジを増加させるか、或いは処理量(ｔｈｒｏｕｇｈｐｕｔ)を高めることが考えられる。
【００６０】
ミリメートル周波数帯域において狭ビームを形成する方法として、基地局やＵＥから多数のアンテナに適切な位相差を用いて同じ信号を送信することにより、特定の方向でのみエネルギーが高くなるビームフォーミング方式が主に考えられている。このようなビームフォーミング方式には、デジタル基底帯域(ｂａｓｅｂａｎｄ)信号に位相差を形成するデジタルビームフォーミング、変調されたアナログ信号に時間遅延(即ち、循環遷移)を用いて位相差を形成するアナログビームフォーミング、デジタルビームフォーミングとアナログビームフォーミングを全て利用するハイブリッドビームフォーミングなどがある。アンテナ要素ごとに送信パワー及び位相調節ができるようにトランシーバユニット(ｔｒａｎｓｃｅｉｖｅｒ ｕｎｉｔ、ＴＸＲＵ)を有すると、周波数リソースごとに独立したビームフォーミングが可能になる。しかし、１００余個の全てのアンテナ要素にＴＸＲＵを設けることは費用面で実効性が乏しい。即ち、ミリメートル周波数帯域は急激な電波減殺特性を補償するために多数のアンテナを使用する必要があり、デジタルビームフォーミングはアンテナ数ほどのＲＦコンポーネント(例えば、デジタルアナログコンバータ(ＤＡＣ)、ミキサー(ｍｉｘｅｒ)、電力増幅器(ｐｏｗｅｒ ａｍｐｌｉｆｉｅｒ)、線形増幅器(ｌｉｎｅａｒ ａｍｐｌｉｆｉｅｒ)など)を必要とするので、ミリメートル周波数帯域においてデジタルビームフォーミングを具現するためには通信機器の単価が上がる問題がある。従って、ミリメートル周波数帯域のようにアンテナが多く必要な場合には、アナログビームフォーミング又はハイブリッドビームフォーミング方式が考慮される。アナログビームフォーミング方式は、１つのＴＸＲＵに多数のアンテナ要素をマッピングし、アナログ位相遷移器(ａｎａｌｏｇ ｐｈａｓｅ ｓｈｉｆｔｅｒ)でビームの方向を調節する。かかるアナログビームフォーミング方式は全体帯域において１つのビーム方向のみを形成するので、周波数選択的ビームフォーミング(ｂｅａｍｆｏｒｍｉｎｇ、ＢＦ)ができない短所がある。ハイブリッドＢＦはデジタルＢＦとアナログＢＦの中間形態であって、Ｑ個のアンテナ要素より少ない数であるＢ個のＴＸＲＵを有する方式である。ハイブリッドＢＦの場合、Ｂ個のＴＸＲＵとＱ個のアンテナ要素の連結方式によって差はあるが、同時に送信可能なビームの方向はＢ個以下に制限される。
【００６１】
上述したように、デジタルビームフォーミングは、送信又は受信デジタルの基底帯域信号に対して信号処理を行うので、多重ビームを用いて同時に複数の方向に信号を送信又は受信できる反面、アナログビームフォーミングは、送信又は受信アナログ信号を変調した状態でビームフォーミングを行うので、１つのビームがカバーする範囲を超える複数の方向に信号を同時に送信又は受信することができない。通常、基地局は広帯域送信又は多重アンテナ特性を用いて同時に多数のユーザと通信を行うが、基地局がアナログ又はハイブリッドビームフォーミングを使用し、１つのビーム方向にアナログビームを形成する場合には、アナログビームフォーミングの特性上、同じアナログビーム方向内に含まれるユーザとのみ通信が可能である。後述する本発明によるＲＡＣＨリソース割り当て及び基地局のリソース活用方案は、アナログビームフォーミング又はハイブリッドビームフォーミングの特性により発生する制約事項を反映して提案される。
【００６２】
図６は送受信器ユニット(ｔｒａｎｓｃｅｉｖｅｒ ｕｎｉｔ、ＴＸＲＵ)及び物理的アンテナの観点でハイブリッドビーム形成の構造を抽象的に示す図である。
【００６３】
複数のアンテナが使用される場合、デジタルビーム形成及びアナログビーム形成を結合したハイブリッドビーム形成技法が考えられている。この時、アナログビーム形成(又はＲＦビーム形成)は、ＲＦユニットがプリコーディング(又は組み合わせ(ｃｏｍｂｉｎｉｎｇ))を行う動作を意味する。ハイブリッドビーム形成において、基底帯域(ｂａｓｅｂａｎｄ)ユニットとＲＦユニットは各々プリコーティング(又は組み合わせ)を行い、これによりＲＦチェーンの数とＤ／Ａ(又はＡ／Ｄ)コンバーターの数を減らしながらデジタルビーム形成に近接する性能を得られるという長所がある。説明の便宜上、ハイブリッドビーム形成の構造は、Ｎ個のＴＸＲＵとＭ個の物理的アンテナで表すことができる。この時、送信端から伝送するＬ個のデータレイヤに対するデジタルビーム形成は、Ｌ−ｂｙ−Ｌ行列で表され、その後、変換されたＮ個のデジタル信号はＴＸＲＵを介してアナログ信号に変換され、変換された信号に対してＭ−ｂｙ−Ｎ行列で表されるアナログビーム形成が適用される。図６において、デジタルビームの数はＬであり、アナログビームの数はＮである。さらに、ＮＲシステムにおいては、アナログビーム形成をシンボル単位で変更できるように基地局を設計して、特定の地域に位置したＵＥに効率的なビーム形成を支援する方向が考えられている。また、Ｎ個のＴＸＲＵとＭ個のＲＦアンテナを１つのアンテナパネルと定義した時、ＮＲシステムにおいては、互いに独立したハイブリッドビーム形成が適用可能な複数のアンテナパネルを導入する方案も考えられている。以上のように基地局が複数のアナログビームを活用する場合、ＵＥごとに信号の受信に有利なアナログビームが異なるので、少なくとも同期信号、システム情報、ページング(ｐａｇｉｎｇ)などについては、特定のスロット又はサブフレームにおいて基地局が適用する複数のアナログビームをシンボルごとに変化させて全てのＵＥが受信機会を有するようにするビームスイーピング(ｂｅａｍ ｓｗｅｅｐｉｎｇ)動作が考えられている。
【００６４】
図７は下りリンクの伝送過程において同期信号とシステム情報に対するビームスイーピング(Ｂｅａｍ ｓｗｅｅｐｉｎｇ)動作を示す図である。図７において、Ｎｅｗ ＲＡＴシステムのシステム情報が放送(Ｂｒｏａｄｃａｓｔｉｎｇ)される物理的リソース又は物理チャネルをｘＰＢＣＨ(ｐｈｙｓｉｃａｌ ｂｒｏａｄｃａｓｔ ｃｈａｎｎｅｌ)と称する。この時、１つのシンボル内において互いに異なるアンテナパネルに属するアナログビーム(Ａｎａｌｏｇ ｂｅａｍ)が同時に伝送されることができ、アナログビーム(Ａｎａｌｏｇ ｂｅａｍ)ごとにチャネルを測定するために、図７に示したように、特定のアンテナパネルに対応する単一のアナログビーム(Ａｎａｌｏｇ ｂｅａｍ)のために伝送される参照信号(Ｒｅｆｅｒｅｎｃｅ ｓｉｇｎａｌ；ＲＳ)であるＢｅａｍ ＲＳ(ＢＲＳ)を導入する方案が論議されている。ＢＲＳは複数のアンテナポートに対して定義することができ、ＢＲＳの各アンテナポートは単一のアナログビーム(Ａｎａｌｏｇ ｂｅａｍ)に対応することができる。この時、ＢＲＳとは異なり、同期信号(Ｓｙｎｃｈｒｏｎｉｚａｔｉｏｎ ｓｉｇｎａｌ)又はｘＰＢＣＨは、任意のＵＥがよく受信できるようにアナログビームグループ(Ａｎａｌｏｇ ｂｅａｍ Ｇｒｏｕｐ)に含まれた全てのアナログビーム(Ａｎａｌｏｇ ｂｅａｍ)のために伝送されることができる。
【００６５】
図８は新しい無線接続技術(ｎｅｗ ｒａｄｉｏ ａｃｃｅｓｓ ｔｅｃｈｎｏｌｏｇｙ、ＮＲ)システムのセルを例示する図である。
【００６６】
図８を参照すると、ＮＲシステムにおいて、既存のＬＴＥなどの無線通信システムに１つの基地局が１つのセルを形成したこととは異なり、複数のＴＲＰが１つのセルを構成する方案が論議されている。複数のＴＲＰが１つのセルを構成すると、ＵＥをサービスするＴＲＰが変わっても中断されず続けて通信が可能であり、ＵＥの移動性管理が容易である。
【００６７】
ＬＴＥ／ＬＴＥ−Ａシステムにおいて、ＰＳＳ／ＳＳＳは全−方位的(ｏｍｎｉ−ｄｉｒｅｃｔｉｏｎ)に伝送されることに反して、ｍｍＷａｖｅを適用するｇＮＢがビーム方向を全−方位的に変化しながらＰＳＳ／ＳＳＳ／ＰＢＣＨなどの信号をビーム形成して伝送する方法が考えられている。このように、ビーム方向を変化しながら信号を伝送／受信することをビームスイーピング(ｂｅａｍ ｓｗｅｅｐｉｎｇ)又はビームスキャニングという。本発明において“ビームスイーピング’は伝送器側の行動であり、“ビームスキャニング”は受信器側の行動を示す。例えば、ｇＮＢが最大Ｎ個のビーム方向を有すると仮定すると、Ｎ個のビーム方向に対して各々ＰＳＳ／ＳＳＳ／ＰＢＣＨなどの信号を伝送する。即ち、ｇＮＢは自分が有し得る又は支援しようとする方向をスイーピングしながら各々の方向に対してＰＳＳ／ＳＳＳ／ＰＢＣＨなどの同期信号を伝送する。又はｇＮＢがＮ個のビームを形成できる場合、いくつずつのビームを集めて１つのビームグループを構成でき、ビームグループごとにＰＳＳ／ＳＳＳ／ＰＢＣＨを伝送／受信することができる。この時、１つのビームグループは１つ以上のビームを含む。同じ方向に伝送されるＰＳＳ／ＳＳＳ／ＰＢＣＨなどの信号が１つのＳＳブロックと定義されることができ、１つのセル内に複数のＳＳブロックが存在することができる。複数のＳＳブロックが存在する場合、各ＳＳブロックの区分のために、ＳＳブロックインデックスを使用できる。例えば、１つのシステムにおいて１０つのビーム方向にＰＳＳ／ＳＳＳ／ＰＢＣＨが伝送される場合、同方向へのＰＳＳ／ＳＳＳ／ＰＢＣＨが１つのＳＳブロックを構成することができ、該当システムでは１０つのＳＳブロックが存在すると理解できる。本発明において、ビームインデックスはＳＳブロックインデックスと解析できる。
【００６８】
帯域幅パート(Ｂａｎｄｗｉｄｔｈ ｐａｒｔ、ＢＷＰ)
【００６９】
ＮＲシステムでは１つの搬送波(ｃａｒｒｉｅｒ)当たり最大４００ＭＨｚまで支援できる。かかるワイドバンド(ｗｉｄｅｂａｎｄ)搬送波で動作するＵＥが常に搬送波全体に対する無線周波数(ｒａｄｉｏ ｆｒｅｑｕｅｎｃｙ、ＲＦ)モジュールをオンにしたまま動作すると、ＵＥバッテリーの消耗が大きくなる。或いは、１つのワイドバンド搬送波内に動作する様々な使用例(ｕｓｅ ｃａｓｅ)(ｅ．ｇ.、ｅＭＢＢ、ＵＲＬＬＣ、ｍＭＴＣ、Ｖ２Ｘなど)を考慮した時、該当搬送波内に周波数帯域ごとに互いに異なるニューマロロジー(例えば、副搬送波間隔)が支援されることができる。或いは、ＵＥごとに最大帯域幅に対する能力が異なることができる。これを考慮して、基地局はワイドバンド搬送波の全体帯域幅ではなく一部の帯域幅のみで動作するようにＵＥに指示でき、該当一部の帯域幅を帯域幅パート(ｂａｎｄｗｉｄｔｈ ｐａｒｔ、ＢＷＰ)と称する。周波数ドメインにおいて、ＢＷＰは、搬送波上の帯域幅パートｉ内のニューマロロジーμiに対して定義された隣接する(ｃｏｎｔｉｇｕｏｕｓ)共通リソースブロックのサブセットであり、１つのニューマロロジー(例えば、副搬送波間隔、ＣＰ長さ、スロット／ミニスロットの持続時間)が設定されることができる。
【００７０】
なお、基地局はＵＥに設定された１つの搬送波内に１つ以上のＢＷＰを設定できる。或いは、特定のＢＷＰにＵＥが集中する場合は、負荷バランス(ｌｏａｄ ｂａｌａｎｃｉｎｇ)のために一部のＵＥを他のＢＷＰに移すことができる。或いは、隣のセル間の周波数ドメインインターセル干渉消去(ｆｒｅｑｕｅｎｃｙ ｄｏｍａｉｎ ｉｎｔｅｒ−ｃｅｌｌ ｉｎｔｅｒｆｅｒｅｎｃｅ ｃａｎｃｅｌｌａｔｉｏｎ)などを考慮して、全体帯域幅のうち、真ん中の一部のスペクトルを排除してセルの両側のＢＷＰを同一のスロット内に設定することができる。即ち、基地局はワイドバンド搬送波に連関するＵＥに少なくとも１つのＤＬ／ＵＬ ＢＷＰを設定することができ、特定の時点に設定されたＤＬ／ＵＬ ＢＷＰのうち、少なくとも１つのＤＬ／ＵＬ ＢＷＰを(物理階層制御信号であるＬ１シグナリング、ＭＡＣ階層制御信号であるＭＡＣ制御要素(ｃｏｎｔｒｏｌ ｅｌｅｍｅｎｔ、ＣＥ)、又はＲＲＣシグナリングなどにより)活性化でき、他の設定されたＤＬ／ＵＬ ＢＷＰにスイッチングすることを(Ｌ１シグナリング、ＭＡＣ ＣＥ、又はＲＲＣシグナリングなどにより)指示するか、又はタイマー値を設定してタイマーが満了すると、ＵＥが所定のＤＬ／ＵＬ ＢＷＰにスイッチングするようにする。この時、他の設定されたＤＬ／ＵＬ ＢＷＰにスイッチングすることを指示するために、ＤＣＩフォーマット１_１又はＤＣＩフォーマット０_１を使用できる。活性化されたＤＬ／ＵＬ ＢＷＰを特に活性(ａｃｔｉｖｅ)ＤＬ／ＵＬ ＢＷＰという。ＵＥが初期接続(ｉｎｉｔｉａｌ ａｃｃｅｓｓ)過程にいるか、又はＵＥのＲＲＣ連結のセットアップ前などの状況では、ＵＥがＤＬ／ＵＬ ＢＷＰに対する設定(ｃｏｎｆｉｇｕｒａｔｉｏｎ)を受信できないこともある。かかる状況でＵＥが仮定するＤＬ／ＵＬ ＢＷＰを初期活性ＤＬ／ＵＬ ＢＷＰという。
【００７１】
一方、ここでＤＬ ＢＷＰは、ＰＤＣＣＨ及び／又はＰＤＳＣＨなどのような下りリンク信号を送受信するためのＢＷＰであり、ＵＬ ＢＷＰはＰＵＣＣＨ及び／又はＰＵＳＣＨなどのような上りリンク信号を送受信するためのＢＷＰである。
【００７２】
ＨＡＲＱ（Ｈｙｂｒｉｄ Ａｕｔｏｍａｔｉｃ Ｒｅｐｅａｔ ａｎｄ ｒｅＱｕｅｓｔ)
【００７３】
制御情報を報告するためのＵＥ動作に関連して、ＨＡＲＱ−ＡＣＫ動作について説明する。ＨＡＲＱ−ＡＣＫはＵＥが物理下りリンクチャネルを成功的に受信したか否かを示す情報であり、ＵＥが物理下りリンクチャネルを成功的に受信した場合はＡＣＫ(ａｃｋｎｏｗｌｅｄｇｅｍｅｎｔ)を、そうではない場合は否定のＡＣＫ(ｎｅｇａｔｉｖｅ ＡＣＫ、ＮＡＣＫ)を基地局にフィードバックする。ＮＲにおけるＨＡＲＱは、輸送ブロック当たり１ビットのＨＡＲＱ−ＡＣＫフィードバックを支援する。図９はＨＡＲＱ−ＡＣＫタイミング(Ｋ１)の一例を示す図である。
【００７４】
図９において、Ｋ０はＤＬ割り当て(即ち、ＤＬグラント)を運ぶＰＤＣＣＨを有するスロットから対応するＰＤＳＣＨ送信を有するスロットまでのスロット数を示し、Ｋ１はＰＤＳＣＨのスロットから対応するＨＡＲＱ−ＡＣＫ送信のスロットまでのスロット数を示し、Ｋ２はＵＬグラントを運ぶＰＤＣＣＨを有するスロットから対応するＰＵＳＣＨ送信を有するスロットまでのスロット数を示す。即ち、ＫＯ、Ｋ１、Ｋ２を以下の表３のように簡単に整理できる。
【００７５】
【表３】
0006910458.tif 000004
【００７６】
基地局はＨＡＲＱ−ＡＣＫフィードバックタイミングをＤＣＩで動的に或いはＲＲＣシグナリングにより準−静的にＵＥに提供することができる。
【００７７】
ＮＲはＵＥの間に互いに異なる最小のＨＡＲＱプロセス時間を支援する。ＨＡＲＱプロセス時間はＤＬデータ受信タイミングに対応するＨＡＲＱ−ＡＣＫ送信タイミングの間の遅延(ｄｅｌａｙ)とＵＬグラント受信タイミングに対応するＵＬデータ送信タイミングの間の遅延を含む。ＵＥは基地局に自分の最小のＨＡＲＱプロセス時間の能力に関する情報を送信する。ＵＥの観点で、時間ドメインで多数のＤＬ送信に対するＨＡＲＱ ＡＣＫ／ＮＡＣＫフィードバックは、１つのＵＬデータ／制御領域から送信されることができる。ＤＬデータ受信に対応するＡＣＫの間のタイミングはＤＣＩにより指示される。
【００７８】
輸送ブロック或いはコードワードごとにＨＡＱＲ過程が行われるＬＴＥシステムとは異なり、ＮＲシステムでは、単一(Ｓｉｎｇｌｅ)／多重(ｍｕｌｔｉ)ビットのＨＡＲＱ−ＡＣＫフィードバックを有するコードブロックグループ(ｃｏｄｅ ｂｌｏｃｋ ｇｒｏｕｐ、ＣＢＧ)基盤の送信が支援される。輸送ブロック(ｔｒａｎｓｐｏｒｔ ｂｌｏｃｋ、ＴＢ)はＴＢのサイズによって１つ以上のＣＢにマッピングされることができる。例えば、チャネルコーディング過程において、ＴＢにはＣＲＣコードが付着し、ＣＲＣ付着ＴＢが一定のサイズより大きくないと、ＣＲＣ付着ＴＢがすぐ１つのコードブロック(ｃｏｄｅ ｂｌｏｃｋ、ＣＢ)に対応するが、ＣＲＣ付着ＴＢが一定のサイズより大きいと、ＣＲＣ付着ＴＢは複数のＣＢにセグメントされる。ＮＲシステムにおいて、ＵＥはＣＢＧ基盤の送信を受信するように設定され、再送信はＴＢの全てのＣＢのサブセットを運ぶようにスケジューリングされることができる。
【００７９】
ＣＢＧ（Ｃｏｄｅ Ｂｌｏｃｋ Ｇｒｏｕｐ)基盤のＨＡＲＱ過程
【００８０】
ＬＴＥではＴＢ(Ｔｒａｎｓｐｏｒｔ Ｂｌｏｃｋ)基盤のＨＡＲＱ過程が支援される。ＮＲではＴＢ基盤のＨＡＲＱ過程と共に、ＣＢＧ基盤のＨＡＲＱ過程が支援される。
【００８１】
図１０はＴＢの処理過程及び構造を例示する図である。図１０の過程はＤＬ−ＳＣＨ(Ｓｈａｒｅｄ Ｃｈａｎｎｅｌ)、ＰＣＨ(Ｐａｇｉｎｇ Ｃｈａｎｎｅｌ)及びＭＣＨ(Ｍｕｌｔｉｃａｓｔ Ｃｈａｎｎｅｌ)送信チャネルのデータに適用できる。ＵＬ ＴＢ(或いはＵＬ送信チャネルのデータ)も同様に処理できる。
【００８２】
図１０を参照すると、送信器はＴＢにエラーチェックのためにＣＲＣ(例えば、２４ビット)(ＴＢ ＣＲＣ)を付加する。その後、送信器はチャネルエンコードのサイズを考慮してＴＢ＋ＣＲＣを複数のコードブロックに分けることができる。一例として、ＬＴＥにおいてコードブロックの最大サイズは６１４４ビットである。従って、ＴＢサイズが６１４４ビット以下であると、コードブロックは構成されず、ＴＢサイズが６１４４ビットより大きい場合は、ＴＢは６１４４ビット単位に分割されて複数のコードブロックが構成される。各々のコードブロックにはエラーチェックのためにＣＲＣ(例えば、２４ビット)(ＣＢ ＣＲＣ)が個々に付加される。各々のコードブロックはチャネルコーディング及びレートマッチングを経た後、１つに併せてコードワードを構成する。ＴＢ基盤のＨＡＲＱ過程においてデータスケジューリングとそれによるＨＡＲＱ過程はＴＢ単位で行われ、ＣＢ ＣＲＣはＴＢデコーディングの早期終了(ｅａｒｌｙ ｔｅｒｍｉｎａｔｉｏｎ)を判断するために使用される。
【００８３】
図１１はＣＢＧ基盤のＨＡＲＱ過程を例示する。ＣＢＧ基盤のＨＡＲＱ過程において、データスケジューリングとそれによるＨＡＲＱ過程はＴＢ単位で行われることができる。
【００８４】
図１１を参照すると、端末は上位階層信号(例えば、ＲＲＣ信号)により送信ブロック当たりコードブロックグループの数Ｍに関する情報を基地局から受信する(Ｓ１１０２)。その後、端末はデータ初期送信を(ＰＤＳＣＨを介して)基地局から受信する(Ｓ１１０４)。ここで、データは送信ブロックを含み、送信ブロックは複数のコードブロックを含み、複数のコードブロックは１つ以上のコードブロックグループに区分される。ここで、コードブロックグループのうちの一部はｃｅｉｌｉｎｇ(Ｋ／Ｍ)個のコードブロックを含み、残りのコードブロックはｆｌｏｏｒｉｎｇ(Ｋ／Ｍ)個のコードブロックを含む。Ｋはデータ内のコードブロック数を示す。その後、端末はデータに対してコードブロックグループ基盤のＡ／Ｎ情報を基地局にフィードバックでき(Ｓ１１０６)、基地局はコードブロックグループに基づいてデータ再送信を行うことができる(Ｓ１１０８)。Ａ／Ｎ情報はＰＵＣＣＨ又はＰＵＳＣＨを介して送信される。ここで、Ａ／Ｎ情報はデータに対して複数のＡ／Ｎビットを含み、各々のＡ／Ｎビットはデータに対してコードブロックグループ単位で生成された各々のＡ／Ｎ応答を示すことができる。Ａ／Ｎ情報のペイロードサイズはデータを構成するコードブロックグループ数に関係なく、Ｍに基づいて同様に維持されることができる。
【００８５】
動的(ｄｙｎａｍｉｃ)／準−静的(ｓｅｍｉ−ｓｔａｔｉｃ)ＨＡＲＱ−ＡＣＫコードブロック方式
【００８６】
ＮＲでは動的ＨＡＲＱ−ＡＣＫコードブロック方式と準−静的ＨＡＲＱ−ＡＣＫコードブロック方式を支援する。ＨＡＲＱ−ＡＣＫ(又はＡ／Ｎ)コードブロックはＨＡＲＱ−ＡＣＫペイロードに代替できる。
【００８７】
動的ＨＡＲＱ−ＡＣＫコードブロック方式が設定された場合、Ａ／Ｎペイロードのサイズは実際スケジューリングされたＤＬデータ数によってＡ／Ｎペイロードのサイズが可変する。このために、ＤＬスケジューリングに関連するＰＤＣＣＨにはｃｏｕｎｔｅｒ−ＤＡＩ(Ｄｏｗｎｌｉｎｋ Ａｓｓｉｇｎｍｅｎｔ Ｉｎｄｅｘ)とｔｏｔａｌ−ＤＡＩが含まれる。ｃｏｕｎｔｅｒ−ＤＡＩはＣＣ(Ｃｏｍｐｏｎｅｎｔ Ｃａｒｒｉｅｒ)(又はセル)優先(ｆｉｒｓｔ)方式で計算された{ＣＣ、スロット}スケジューリング順序値を示し、Ａ／Ｎコードブロック内でＡ／Ｎビットの位置を指定する時に使用される。ｔｏｔａｌ−ＤＡＩは現在スロットまでのスロット単位スケジューリング累積値を示し、Ａ／Ｎコードブロックのサイズを決定する時に使用される。
【００８８】
準−静的Ａ／Ｎコードブロック方式が設定された場合、実際スケジューリングされたＤＬデータ数に関係なく、Ａ／Ｎコードブロックのサイズが(最大値に)固定される。具体的には、１つのスロット内の１つのＰＵＣＣＨを介して送信される(最大)Ａ／Ｎペイロード(サイズ)は、端末に設定された全てのＣＣ及びＡ／Ｎ送信タイミングを指示可能な全てのＤＬスケジューリングスロット(又はＰＤＳＣＨ送信スロット又はＰＤＣＣＨモニタリングスロット)の組み合わせ(以下、バンドリングウィンドウ)に対応するＡ／Ｎビット数に決定される。例えば、ＤＬグラントＤＣＩ(ＰＤＣＣＨ)には、ＰＤＳＣＨ−ｔｏ−Ａ／Ｎタイミング情報が含まれ、ＰＤＳＣＨ−ｔｏ−Ａ／Ｎタイミング情報は、複数の値のうち、１つ(例えば、ｋ)を有する。例えば、ＰＤＳＣＨがスロット＃ｍで受信され、ＰＤＳＣＨをスケジューリングするＤＬグラントＤＣＩ(ＰＤＣＣＨ)内のＰＤＳＣＨ−ｔｏ−Ａ／Ｎタイミング情報がｋを指示する場合、ＰＤＳＣＨに対するＡ／Ｎ情報はスロット＃(ｍ＋ｋ)で送信されることができる。一例として、ｋ∈{１、２、３、４、５、６、７、８}と与えられることができる。一方、Ａ／Ｎ情報がスロット＃ｎで送信される場合、Ａ／Ｎ情報はバンドリングウィンドウを基準として可能な最大Ａ／Ｎを含むことができる。即ち、スロット＃ｎのＡ／Ｎ情報はスロット＃(ｎ−k)に対応するＡ／Ｎを含むことができる。例えば、ｋ∈{１、２、３、４、５、６、７、８}の場合、スロット＃ｎのＡ／Ｎ情報は実際のＤＬデータ受信に関係なくスロット＃(ｎ−８)〜スロット＃(ｎ−１)に対応するＡ／Ｎを含む(即ち、最大数のＡ／Ｎ)。ここで、Ａ／Ｎ情報はＡ／Ｎコードブロック、Ａ／Ｎペイロードと代替できる。また、スロットはＤＬデータ受信のための候補機会(ｏｃｃａｓｉｏｎ)と理解／代替できる。例示したように、バンドリングウィンドウはＡ／Ｎスロットを基準としてＰＤＳＣＨ−ｔｏ−Ａ／Ｎタイミングに基づいて決定され、ＰＤＳＣＨ−ｔｏ−Ａ／Ｎタイミングセットは既に定義された値を有するか(例えば、{１、２、３、４、５、６、７、８})、又は上位階層(ＲＲＣ)シグナリングにより設定される。
【００８９】
以下、本発明の実施例によるＨＡＲＱ−ＡＣＫを送受信する方法について詳しく説明する。
【００９０】
５世代ＮＲシステムでは、ＲＦ／基底帯域(ｂａｓｅｂａｎｄ)スイッチングによるエネルギー節約及び／又は負荷バランス(ｌｏａｄ ｂａｌａｎｃｉｎｇ)などの目的を達成するために、Ｂａｎｄｗｉｄｔｈ ｐａｒｔ(ＢＷＰ)を動的に変更することができる。
【００９１】
また、ＢＷＰが変更に基づいてＨＡＲＱ−ＡＣＫコードブロック(ｃｏｄｅｂｏｏｋ)の構成、ＣＳＩ報告(ｒｅｐｏｒｔｉｎｇ)などを変更でき、特に搬送波集成(Ｃａｒｒｉｅｒ ａｇｇｒｅｇａｔｉｏｎ；ＣＡ)が適用された時、各セルごとにＢＷＰが独立して変更されると、それによるＨＡＲＱ−ＡＣＫコードブロックの構成及びＣＳＩ構成方法を定義する必要がある。
【００９２】
本発明では、例えば、互いに異なるＢＷＰが各々準−静的ＨＡＲＱ−ＡＣＫコードブロックと動的ＨＡＲＱ−ＡＣＫコードブロックを使用するか、ＴＢ基盤のＨＡＲＱ−ＡＣＫとＣＢＧ基盤のＨＡＲＱ−ＡＣＫを使用するか、又は各ＢＷＰごとにＰＤＣＣＨモニタリング機会を有する場合のようにＢＷＰごとにＨＡＲＱ−ＡＣＫ送信方法が異なる場合のＨＡＲＱ−ＡＣＫ送信方法について説明する。さらに、ＢＷＰスイッチングによりＢＷＰが変更される過程でのＨＡＲＱ−ＡＣＫ送信方法についても説明する。一方、本発明はＨＡＲＱ−ＡＣＫ送信に限られず、ＣＳＩのような他のＵＣＩ送信などにも拡張して適用できる。
【００９３】
基本的には、ＮＲシステムにおいて、ＨＡＲＱ−ＡＣＫフィードバック送信方法には、準−静的(Ｓｅｍｉ−Ｓｔａｔｉｃ)ＨＡＲＱ−ＡＣＫコードブロック方式と動的(Ｄｙｎａｍｉｃ)ＨＡＲＱ−ＡＣＫコードブロック方式がある。
【００９４】
準−静的ＨＡＲＱ−ＡＣＫコードブロック方式の場合、端末に設定された複数のＰＤＳＣＨ−ｔｏ−ＨＡＲＱ−ＡＣＫフィードバックタイミングを考慮して、特定のＰＵＣＣＨ送信時点に連関する全てのＰＤＣＣＨモニタリング機会についてＨＡＲＱ−ＡＣＫビットを生成／送信することであり、ＰＤＣＣＨモニタリング機会にスケジューリングされなかったＰＤＳＣＨはＮＡＣＫと処理することができる。
【００９５】
言い換えれば、特定のＰＵＣＣＨ送信時点(即ち、ＨＡＲＱ−ＡＣＫ送信時点)に連関するＰＤＳＣＨ−ｔｏ−ＨＡＲＱ−ＡＣＫフィードバックタイミングに基づく複数のスロットでＰＤＳＣＨの受信を期待できるＰＤＳＣＨ受信機会のうち、ＰＤＳＣＨ−ｔｏ−ＨＡＲＱ−ＡＣＫフィードバックタイミングに基づいてＰＤＣＣＨ送信が不可能なＰＤＳＣＨ受信機会、即ち、ＰＤＳＣＨ受信機会のうち、ＰＤＣＣＨによりスケジューリングできないＰＤＳＣＨ受信機会を除いたＰＤＳＣＨ受信機会を候補ＰＤＳＣＨ受信機会という。
【００９６】
この時、候補ＰＤＳＣＨ受信機会のうち、実際ＰＤＣＣＨモニタリング機会によりスケジューリングされずＰＤＳＣＨが受信されなかった候補ＰＤＳＣＨ受信機会はＮＡＣＫと処理することができる。
【００９７】
反面、動的ＨＡＲＱ−ＡＣＫコードブロック方式の場合、ＤＣＩ内に総ＤＡＩ(Ｄｏｗｎｌｉｎｋ Ａｓｓｉｇｎｍｅｎｔ Ｉｎｄｅｘ)フィールド及び／又はカウンタＤＡＩフィールドが設定され、該当ＤＡＩ値に基づいてＰＤＣＣＨモニタリング機会により実際スケジューリングされたＰＤＳＣＨのためのＨＡＲＱ−ＡＣＫビットを生成／送信することができる。
【００９８】
一方、搬送波集成が適用された場合には、複数のセルに対するＨＡＲＱ−ＡＣＫ送信が１つのＰＵＣＣＨに多重化(ｍｕｌｔｉｐｌｅｘｅｄ)されて送信されることができる。
【００９９】
この時、準−静的ＨＡＲＱ−ＡＣＫコードブロックを使用する場合、ＨＡＲＱ−ＡＣＫビットの順序は、図１２に示したように、各セルのＰＤＣＣＨモニタリング機会の和集合を基準として、最も早い時間のＰＤＣＣＨモニタリング機会から、セルインデックスが最も低いものから増加する順にＨＡＲＱ−ＡＣＫビットを生成でき、動的ＨＡＲＱ−ＡＣＫコードブロックを使用する場合は、図１３に示したように、該当セルでＰＤＳＣＨをスケジューリングするＤＣＩが実際存在する時、それに基づいてＨＡＲＱ−ＡＣＫを生成することができる。
【０１００】
一方、ＮＲシステムでは、サービングセルごとにＣＢＧ基盤の再送信及び／又はＨＡＲＱ−ＡＣＫフィードバックを設定することができ、ＣＢＧ基盤のＨＡＲＱ−ＡＣＫビット数及び／又は最大ＣＢＧ基盤のＨＡＲＱ−ＡＣＫビット数もサービングセルごとに設定することができる。準−静的ＨＡＲＱ−ＡＣＫコードブロックを使用する場合、各セルごとに設定されたＣＢＧ基盤のＨＡＲＱ−ＡＣＫの設定有無によって各ＰＤＣＣＨモニタリング機会ごとにＴＢ基盤のＨＡＲＱ−ＡＣＫを生成するか、又は各サービングセルごとに設定されたＣＢＧ数及び／又は最大ＣＢＧ数に基づいてＣＢＧ基盤のＨＡＲＱ−ＡＣＫビットを生成するかを決定できる。なお、ＴＢ基盤のＨＡＲＱ−ＡＣＫは、最大ＴＢ数によって１ビット又は２ビットに生成されることができる。
【０１０１】
動的ＨＡＲＱ−ＡＣＫコードブロックを使用する場合は、図１４に示したように、全てのサービングセルについてＴＢ基盤のＨＡＲＱ−ＡＣＫを基準としてＨＡＲＱ−ＡＣＫビットを生成し、ＣＢＧ送信が設定されたサービングセルに限ってさらに各サービングセルに設定されたＣＢＧ数の最大値(ａｃｒｏｓｓ ｄｉｆｆｅｒｅｎｔ ｓｅｒｖｉｎｇ ｃｅｌｌｓ)に基づいて各サービングセルごとにスケジューリングされるＣＢＧ数ほどのＨＡＲＱ−ＡＣＫビットを生成する。この時、ＣＢＧ数の最大値は設定された最大ＴＢ数の２倍数になることができる。
【０１０２】
なお、ＵＥはＰＤＣＣＨモニタリングを現在設定された活性下りリンクＢＷＰ(ａｃｔｉｖｅ ＤＬ ＢＷＰ)内でのみ行うことができる。この時、各ＢＷＰごとにＣＯＲＥＳＥＴ及び／又は検索空間(Ｓｅａｒｃｈ ｓｐａｃｅ)を独立して設定できる。また、検索空間はＰＤＣＣＨに対する時間軸へのモニタリング機会を含むことができる。
【０１０３】
しかし、ＢＷＰによってＰＤＣＣＨモニタリング機会が異なる場合は、ＨＡＲＱ−ＡＣＫコードブロック構成も動的に変更する必要がある。また、ＰＤＳＣＨ−ｔｏ−ＨＡＲＱ−ＡＣＫフィードバックタイミング値の範囲もＢＷＰごとに独立して設定でき、かかる場合にもＨＡＲＱ−ＡＣＫコードブロック構成を変更できる。
【０１０４】
ＢＷＰが変更される場合、ＨＡＲＱ−ＡＣＫコードブロック構成が曖昧な区間が発生することができる。例えば、変更前のＢＷＰのＨＡＲＱフィードバック時点に連関するＰＤＣＣＨモニタリング機会と、変更後のＢＷＰのＨＡＲＱフィードバック時点に連関するＰＤＣＣＨモニタリング機会が複数個重なる場合、重なるＰＤＣＣＨモニタリング機会におけるＨＡＲＱ−ＡＣＫコードブロック構成に曖昧さが生じ得る。
【０１０５】
この時、場合によってはＨＡＲＱ−ＡＣＫコードブロックのサイズ又はＨＡＲＱ−ＡＣＫコードブロックを構成するビットを多様に変化できる。例えば、ＢＷＰ＃１ではＰＤＳＣＨ−ｔｏ−ＨＡＲＱ−ＡＣＫタイミング集合(ｔｉｍｉｎｇ ｓｅｔ)が{４、５、６、７}スロットに設定され、ＢＷＰ＃２ではＰＤＳＣＨ−ｔｏ−ＨＡＲＱ−ＡＣＫタイミング集合が{４、６}スロットに設定されると仮定する。
【０１０６】
例えば、スロットｎでＨＡＲＱ−ＡＣＫフィードバックを送信する時、スロットｎ−４以前にはＢＷＰ＃１で動作し、スロットｎ−４からはＢＷＰ＃２で動作すると仮定する。かかる場合、ＵＥはスロットｎでスロットｎ−７、ｎ−６、ｎ−５、ｎ−４に対する４ビットＨＡＲＱ−ＡＣＫを送信するか、及び／又はスロットｎ−６、ｎ−４に対する２ビットのＨＡＲＱ−ＡＣＫを送信するかが曖昧になる。特に、ＣＡ状況を考慮する場合、ＨＡＲＱ−ＡＣＫに対するサイズが変更することによって全体的なＨＡＲＱ−ＡＣＫコードブロック構成が変更されることができる。但し、仮定によるＰＤＳＣＨ−ｔｏ−ＨＡＲＱ−ＡＣＫタイミング集合の関係はＰＤＣＣＨ−ｔｏ−ＰＤＳＣＨタイミングによる組み合わせ(ｃｏｍｂｉｎａｔｉｏｎ)により拡張できる。
【０１０７】
以下、ＢＷＰスイッチングによるＨＡＲＱ−ＡＣＫコードブロックの構成方法についてより具体的な実施例を説明する。
【０１０８】
本格的な説明前に本発明の実施例によるＵＥ、基地局及びネットワークの観点での動作過程について図１５乃至図１７を参照しながら説明する。
【０１０９】
図１５は本発明の実施例によるＵＥの動作過程を示す図である。図１５を参照すると、ＵＥは基地局から下りリンク信号受信のための複数のＢＷＰが設定される(Ｓ１５０１)。この時、複数のＢＷＰは上位階層シグナリングにより設定される。また、ＵＥは基地局から複数のＢＷＰのうち、第１ＢＷＰを活性させるためのＤＣＩ及び／又は上位階層シグナリングを受信し(Ｓ１５０３)、活性された第１ＢＷＰで第１ＰＤＳＣＨを受信する(Ｓ１５０５)。その後、第１ＢＷＰから第２ＢＷＰに活性ＢＷＰを変更するためのＤＣＩを基地局から受信し(Ｓ１５０７)、変更された活性ＢＷＰである第２ＢＷＰで第２ＰＤＳＣＨを受信する(Ｓ１５０９)。
【０１１０】
また、ＵＥは変更前のＢＷＰで受信した第１ＰＤＳＣＨ及び変更後のＢＷＰで受信した第２ＰＤＳＣＨのうち、少なくとも１つに対するＨＡＲＱ−ＡＣＫを送信するが(Ｓ１５１１)、この時、ＨＡＲＱ−ＡＣＫを構成する方法及び送信する方法は、後述する実施例１乃至実施例４による。
【０１１１】
図１６を参照しながら本発明の実施例による基地局の動作過程について説明する。基地局はＵＥに下りリンク信号送信のための複数のＢＷＰを設定できる(Ｓ１６０１)。この時、複数のＢＷＰは上位階層シグナリングにより設定できる。また基地局は複数のＢＷＰのうち、第１ＢＷＰを活性させるためのＤＣＩ及び／又は上位階層シグナリングをＵＥに送信し(Ｓ１６０３)、活性された第１ＢＷＰで第１ＰＤＳＣＨを送信する(Ｓ１６０５)。その後、第１ＢＷＰから第２ＢＷＰに活性ＢＷＰを変更するためのＤＣＩをＵＥに送信し(Ｓ１６０７)、変更された活性ＢＷＰである第２ＢＷＰで第２ＰＤＳＣＨを送信する(Ｓ１６０９)。
【０１１２】
また、基地局は変更前のＢＷＰで送信した第１ＰＤＳＣＨ及び変更後のＢＷＰで送信した第２ＰＤＳＣＨのうち、少なくとも１つに対するＨＡＲＱ−ＡＣＫをＵＥから受信するが(Ｓ１６１１)、この時、ＨＡＲＱ−ＡＣＫを構成する方法及び受信する方法は、後述する実施例１乃至実施例４による。
【０１１３】
図１５乃至図１６の動作過程をネットワークの観点で図１７を参照しながら説明する。基地局がＵＥに下りリンク信号送信のための複数のＢＷＰを上位階層シグナリングにより設定し(Ｓ１７０１)、複数のＢＷＰのうち、第１ＢＷＰを活性させるためのＤＣＩ及び／又は上位階層シグナリングをＵＥに送信する(Ｓ１７０３)。また基地局は活性された第１ＢＷＰで第１ＰＤＳＣＨを送信する(Ｓ１７０５)。その後、基地局は第１ＢＷＰから第２ＢＷＰに活性ＢＷＰを変更するためのＤＣＩをＵＥに送信し(Ｓ１７０７)、変更された活性ＢＷＰである第２ＢＷＰで第２ＰＤＳＣＨを送信する(Ｓ１７０９)。
【０１１４】
また、ＵＥは変更前のＢＷＰで送信した第１ＰＤＳＣＨ及び変更後のＢＷＰで送信した第２ＰＤＳＣＨのうち、少なくとも１つに対するＨＡＲＱ−ＡＣＫを基地局に送信するが(Ｓ１７１１)、この時、ＨＡＲＱ−ＡＣＫを構成する方法及び受信する方法は、後述する実施例１乃至実施例４による。
【０１１５】
実施例１
【０１１６】
ＵＥは準−静的ＨＡＲＱ−ＡＣＫコードブロックを使用する場合、ＢＷＰが変更されることを期待しない。又は、ＵＥはＢＷＰが変更されてもＨＡＲＱ−ＡＣＫフィードバックに連動するＰＤＣＣＨモニタリング機会の集合又は下りリンク連関の集合(ＤＬ ａｓｓｏｃｉａｔｉｏｎ ｓｅｔ)は変更されないと期待することができる。
【０１１７】
即ち、実施例１の場合、ＢＷＰが変更するにもかかわらず、ＨＡＲＱ−ＡＣＫコードブロックの構成が変更されることを回避するか又は期待しない。
【０１１８】
実施例２
【０１１９】
複数のＢＷＰが設定された(Ｃｏｎｆｉｇｕｒｅｄ)場合、ＵＥは各セルごとに全ての設定された(ｃｏｎｆｉｇｕｒｅｄ)ＢＷＰに対するＰＤＣＣＨモニタリング機会又は下りリンク連関の集合の和集合に基づいて、ＨＡＲＱ−ＡＣＫビットを生成するか否かを決定する。具体的には、準−静的ＨＡＲＱ−ＡＣＫコードブロックを使用する場合、設定された全てのＢＷＰに対するＰＤＣＣＨモニタリング機会又は下りリンク連関の集合の和集合内の各々のＰＤＣＣＨモニタリング機会ごとにＨＡＲＱ−ＡＣＫビットを生成することができる。この時、ＨＡＲＱ−ＡＣＫビットの数はＴＢ数によって１ビット又は２ビットである。
【０１２０】
なお、動的ＨＡＲＱ−ＡＣＫコードブロックを使用する場合、設定された全てのＢＷＰに対するＰＤＣＣＨモニタリング機会又は下りリンク連関集合の和集合に基づいて、ＰＤＳＣＨのスケジューリング(Ｓｃｈｅｄｕｌｉｎｇ)の有無によってＨＡＲＱ−ＡＣＫビットを生成することができる。
【０１２１】
実施例２の場合、ＨＡＲＱ−ＡＣＫビット数が多くなることができる。特に、準−静的ＨＡＲＱ−ＡＣＫコードブロックでは、ＨＡＲＱ−ＡＣＫビット数が多すぎることがある。しかし、ＢＷＰが動的に変更され、ＰＤＣＣＨモニタリング機会、ＰＤＣＣＨ−ｔｏ−ＰＤＳＣＨタイミング及び／又はＰＤＳＣＨ−ｔｏ−ＨＡＲＱ−ＡＣＫフィードバックタイミング集合(ｆｅｅｄｂａｃｋ ｔｉｍｉｎｇ ｓｅｔ)が動的に変更される場合にもＨＡＲＱ−ＡＣＫ構成は変わらないという長所がある。
【０１２２】
実施例３
【０１２３】
ＵＥは該当ＨＡＲＱ−ＡＣＫフィードバック送信時点の活性ＢＷＰ、即ち活性(下りリンク)ＢＷＰを基準としてＨＡＲＱ−ＡＣＫビットを生成できる。又は、ＨＡＲＱ−ＡＣＫフィードバックに連関するＰＤＳＣＨのうち、最も近い時点のＰＤＳＣＨに対応する(下りリンク)ＢＷＰを基準としてＨＡＲＱ−ＡＣＫビットを生成することができる。
【０１２４】
具体的には、単一セル基盤である場合は、以前のＢＷＰでスケジューリング中であったＰＤＳＣＨに対するＨＡＲＱ−ＡＣＫは送信されず、ドロップされることができる。言い換えれば、ＵＥはＢＷＰが変更された後、ＨＡＲＱ−ＡＣＫを構成する時、変更後のＢＷＰでスケジューリングされたＰＤＣＳＨに対するＨＡＲＱ−ＡＣＫビットはＨＡＲＱ−ＡＣＫ構成に含まれ、以前のＢＷＰでスケジューリングされたＰＤＳＣＨに対するＨＡＲＱ−ＡＣＫビットはＨＡＲＱ−ＡＣＫ構成に含まれず送信することができる。
【０１２５】
なお、ＣＡ状況では、さらに複数のサービングセルに対するＨＡＲＱ−ＡＣＫビット間の順序が再配列されることができ、これによりＨＡＲＱ−ＡＣＫフィードバックに対するエンコーディングを再度行うことができる。
【０１２６】
但し、かかる問題は、ＢＷＰが変更される区間を十分に長く設定し、該当区間内で新しい(下りリンク)スケジューリングを行わないことにより回避することができる。そうではないと、ＢＷＰスイッチング(Ｓｗｉｔｃｈｉｎｇ)の間に、即ちＢＷＰスイッチングが行われる区間内で発生する(下りリンク)スケジューリングに対するＨＡＲＱ−ＡＣＫフィードバックがいずれも変更前のＢＷＰに対応するか又は変更後のＢＷＰに対応するようにスケジューリングされると期待できる。
【０１２７】
また、実施例３の場合、必要なだけのＨＡＲＱ−ＡＣＫビット数を生成することによりＨＡＲＱ−ＡＣＫフィードバックの検出性能を高めることができる。特に、準−静的ＡＲＱ−ＡＣＫコードブロックの場合、必要なだけのＨＡＲＱ−ＡＣＫビット数を生成することができる。
【０１２８】
具体的には、準−静的ＨＡＲＱ−ＡＣＫコードブロックの場合、ＨＡＲＱ−ＡＣＫビット数を生成するにおいて、変更前のＢＷＰのためのＰＤＣＣＨモニタリング機会に関連するＨＡＲＱ−ＡＣＫビットは生成せず、変更後のＢＷＰのためのＰＤＣＣＨモニタリング機会に関連するＨＡＲＱ−ＡＣＫビットのみを生成することができる。即ち、ＨＡＲＱ−ＡＣＫビット数はＨＡＲＱ−ＡＣＫフィードバックに関連するＰＤＳＣＨ−ｔｏ−ＨＡＲＱフィードバックタイミングによる複数のスロットにおいてＰＤＳＣＨの受信を期待できる候補ＰＤＳＣＨ機会のうち、変更後のＢＷＰに関連する候補ＰＤＳＣＨ機会の数だけのＨＡＲＱ−ＡＣＫビットを生成することができる。
【０１２９】
言い換えれば、ＢＷＰスイッチングが行われた後のＨＡＲＱ−ＡＣＫビット数は、ＢＷＰスイッチングが行われない場合のＨＡＲＱ−ＡＣＫビット数より少ないことができ、但し、ＢＷＰスイッチングが行われた後、一定時間が経過すると、ＨＡＲＱ−ＡＣＫフィードバックに関連する全ての候補ＰＤＳＣＨ機会がＢＷＰ変更後のスロットに存在することになるので、ＢＷＰ変更後に時間の経過によって再度ＨＡＲＱ−ＡＣＫビット数が漸次増加することができる。言い換えれば、ＨＡＲＱ−ＡＣＫビットにドロップされる変更前のＢＷＰに連関する候補ＰＤＳＣＨ機会のためのビットを含まない。
【０１３０】
実施例４
【０１３１】
ＵＥはＨＡＲＱ−ＡＣＫフィードバックの時、該当ＨＡＲＱ−ＡＣＫフィードバックに対応する下りリンク連関集合内でＰＤＳＣＨをスケジューリングするＰＤＣＣＨが指示する下りリンクＢＷＰがいずれも同一であると仮定するか、又はＰＤＣＣＨモニタリング機会の集合(ｍｏｎｉｔｏｒｉｎｇ ｏｃｃａｓｉｏｎ ｓｅｔ)又はＨＡＲＱ−ＡＣＫフィードバックに対する下りリンク連関集合が同一であると仮定する。
【０１３２】
言い換えれば、一時点でＨＡＲＱ−ＡＣＫフィードバックに対する下りリンク連関集合は、各セルごとに特定の１つのＢＷＰにのみ対応することができる。もし、ＡＲＩ(ＡＣＫ／ＮＡＣＫ ｒｅｓｏｕｒｃｅ ｉｎｄｉｃａｔｏｒ)によりＨＡＲＱ−ＡＣＫフィードバックが区分される場合、互いに異なるＯＣＣ(Ｏｒｔｈｏｇｏｎａｌ Ｃｏｖｅｒ Ｃｏｄｅ)、周波数／シンボル領域の各々において互いに異なるＨＡＲＱ−ＡＣＫフィードバックが行われると理解して、互いに異なるＨＡＲＱ−ＡＣＫフィードバックの各々について下りリンク連関集合に関連するＢＷＰが個々に設定されると仮定することができる。
【０１３３】
かかる場合、ＢＷＰスイッチング周期(Ｓｗｉｔｃｈｉｎｇ ｐｅｒｉｏｄ)内でフォールバック動作(ｆａｌｌｂａｃｋ ｏｐｅｒａｔｉｏｎ)が必要である。具体的には、ＮＲシステムにおいて、ＵＥはＤＣＩフォーマット１_０のようなフォールバックＤＣＩを１つのみ受信し、受信されたフォールバックＤＣＩのＤＡＩ値が１である場合、該当ＤＣＩに対するＨＡＲＱ−ＡＣＫビットのみを送信することができる。
【０１３４】
また、フォールバックＤＣＩは共通検索空間(Ｃｏｍｍｏｎ ｓｅａｒｃｈ ｓｐａｃｅ)で送信されることができる。さらに、ＮＲシステムにおいて、ＵＥはＨＡＲＱ−ＡＣＫに連関する下りリンク連関集合内の１番目のスロット又は１番目のＰＤＣＣＨモニタリング機会にＰＤＣＣＨ及び／又はＰＤＳＣＨを検出した時、該当ＰＤＳＣＨに対するＨＡＲＱ−ＡＣＫビットのみを送信することができる。
【０１３５】
さらに他の方法として、ＢＷＰスイッチング(Ｓｗｉｔｃｈｉｎｇ)はノンフォールバック(ｎｏｎ−ｆａｌｌｂａｃｋ)ＤＣＩと指示されるので、ＤＣＩフォーマットに関係なくＵＥがＤＡＩ＝１であるＤＣＩを１つのみ検出した場合、該当ＰＤＳＣＨに対するＨＡＲＱ−ＡＣＫビットのみを送信することができる。この時、ＤＡＩ＝１のＤＣＩは該当ＰＤＳＣＨをスケジューリングするＤＣＩであることができる。具体的には、ＣＡ状況でもＳＣｅｌｌにおいてＤＡＩ＝１であるＤＣＩが１つのみ送信される場合、即ち、他のセルではＤＡＩ＝１であるＤＣＩが送信されない場合にも該当ＰＤＳＣＨに対するＨＡＲＱ−ＡＣＫビットを送信することができる。
【０１３６】
しかし、準−静的ＨＡＲＱ−ＡＣＫコードブロックを使用する場合、ノンフォールバックＤＣＩについてはＤＡＩフィールドがないこともできる。よって各セルごとにＨＡＲＱ−ＡＣＫに対する下りリンク連関集合に対応する１番目のＰＤＣＣＨモニタリング機会にＰＤＳＣＨをスケジューリングするＰＤＣＣＨを検出した時にのみ該当ＰＤＳＣＨのためのＨＡＲＱ−ＡＣＫビットを送信することができる。即ち、準−静的ＨＡＲＱ−ＡＣＫコードブロックが設定された場合にも該当ＨＡＲＱ−ＡＣＫフィードバックに連関する全てのＰＤＣＣＨモニタリング機会に対するＨＡＲＱ−ＡＣＫビットを生成することではなく、ＤＡＩ＝１を有するＤＣＩに基づくフォールバック動作に関連するＨＡＲＱ−ＡＣＫビットのみを生成することができる。この時、ＢＷＰスイッチング区間の間にＵＥはＤＡＩ＝１を有するＤＣＩに基づくフォールバック動作を活用することができる。
【０１３７】
なお、上述した実施例で設定されたＨＡＲＱ−ＡＣＫコードブロックが準−静的ＨＡＲＱ−ＡＣＫコードブロックであるか又は動的ＨＡＲＱ−ＡＣＫコードブロックであるかによって、ＢＷＰ変更によるＨＡＲＱ−ＡＣＫコードブロックの生成方法が異なることができる。また、本発明の実施例は、必ず１つの実施例単独に行われる必要はなく、実施例の組み合わせにより行われることもできる。即ち、実施例に含まれた複数の方法を組み合わせて使用することができる。例えば、本発明の実施例において、フォールバック動作は常に支援されることができる。
【０１３８】
また、ＤＣＩで指示するＢＷＰインデックス及び／又はＡＲＩの組み合わせによって、ＨＡＲＱ−ＡＣＫに対する下りリンク連関集合が区分されることができる。例えば、互いに異なるＢＷＰ間のＰＤＣＣＨモニタリング機会が一部重なる場合、この重なる領域で送信されたＤＣＩ内のＢＷＰインデックス及び／又はＡＲＩ値に基づいて、ＵＥはＨＡＲＱ−ＡＣＫコードブロックの生成時に参照する下りリンク連関集合をどのＢＷＰを基準とするかを決定できる。即ち、異なるＢＷＰ間のＰＤＣＣＨモニタリング機会が一部重なる場合、特定のＢＷＰ基準の下りリンク連関集合内のＰＤＳＣＨに対応するＰＤＣＣＨは、ＢＷＰインデックス及び／又はＡＲＩが同一であることができる。具体的には、ＡＲＩ値はＡＲＩフィールド値と同一であるか否かによって区分できる。
【０１３９】
また、ＢＷＰごとにＡＲＩが指示できるＰＵＣＣＨリソース集合が異なる場合には、最終的に選択されるＰＵＣＣＨリソースが同一であるか否かによってＨＡＲＱ−ＡＣＫコードブロックの生成及び送信動作が行われる。
【０１４０】
もし、ＢＷＰインデックスは異なり、ＡＲＩが同一である場合は、互いに異なるＢＷＰに対応するＰＤＳＣＨに対するＨＡＲＱ−ＡＣＫが同じチャネルを介して送信されることを考慮できる。具体的には、互いに異なるＢＷＰに対応するＰＤＳＣＨに対するＨＡＲＱ−ＡＣＫは、ＢＷＰごとにＨＡＲＱ−ＡＣＫを各々生成した後に連接する方式で同時送信を行うことができ、より効率的にはペイロードサイズ(ｐａｙｌｏａｄ ｓｉｚｅ)を減らすために互いに異なるＢＷＰに対する下りリンク連関集合について和集合でＨＡＲＱ−ＡＣＫを生成することもできる。
【０１４１】
なお、本発明の実施例において、準−静的ＨＡＲＱ−ＡＣＫコードブロック又は動的ＨＡＲＱ−ＡＣＫコードブロックは、ＢＷＰとは関係なくＵＥ特定に設定されることができ、又はコードブロックタイプがＢＷＰごとに設定される場合には、全て同じ設定を有することもできる。
【０１４２】
ＮＲシステムではＨＡＲＱ−ＡＣＫコードブロックの構成方法が上位階層シグナリングにより変更されることができる。かかる場合、ＲＲＣ再設定周期(ｒｅｃｏｎｆｉｇｕｒａｔｉｏｎ ｐｅｒｉｏｄ)の間にＵＥとｇＮＢの間の曖昧さ(ａｍｂｉｇｕｉｔｙ)なしに動作できる方法が求められることができる。この時、周期内では、上述した実施例で言及したフォールバック動作(ｆａｌｌｂａｃｋ ｏｐｅｒａｔｉｏｎ)方式によりｇＮＢとＵＥの間の曖昧さ(ａｍｂｉｇｕｉｔｙ)を解決することを考慮できる。
【０１４３】
ＨＡＲＱ−ＡＣＫコードブロックタイプは、下りリンクＢＷＰ及び／又は上りリンクＢＷＰによって準−静的ＨＡＲＱ−ＡＣＫコードブロックが設定されるか又は動的ＨＡＲＱ−ＡＣＫコードブロックが設定されるかが決定される。具体的には、下りリンクＢＷＰによってＨＡＲＱ−ＡＣＫフィードバックに対する下りリンク連関集合のサイズが異なる場合、準−静的ＨＡＲＱ−ＡＣＫコードブロックが有用することができ、逆に動的ＨＡＲＱ−ＡＣＫコードブロックが有用であることもできる。
【０１４４】
例えば、下りリンク連関集合が大きい場合、ＨＡＲＱ−ＡＣＫコードブロックのサイズも大きくなることができるので、動的ＨＡＲＱ−ＡＣＫコードブロックに設定されることもできる。
【０１４５】
反面、下りリンクＢＷＰによってチャネル品質(ｃｈａｎｎｅｌ ｑｕａｌｉｔｙ)又は干渉(ｉｎｔｅｒｆｅｒｅｎｃｅ)の環境変化によってＤＡＩ基盤の動的ＨＡＲＱ−ＡＣＫコードブロックの使用時に曖昧さが発生可能な場合には、準−静的ＨＡＲＱ−ＡＣＫコードブロックを活用することもできる。かかる場合、ＵＥがＢＷＰを動的に変更することによってＨＡＲＱ−ＡＣＫコードブロックタイプも動的に変更できる。
【０１４６】
基本的にはＰＵＣＣＨはＰＳＣｅｌｌ又はＰＵＣＣＨ−ＳＣｅｌｌを含むＰＣｅｌｌで送信されるので、ＰＣｅｌｌの(下りリンク)ＢＷＰによってＨＡＲＱ−ＡＣＫコードブロックタイプ(ｃｏｄｅｂｏｏｋ ｔｙｐｅ)が決定される。例えば、ＳＣｅｌｌにおけるＤＣＩ内のＤＡＩフィールドの存在有無もＰＣｅｌｌのＢＷＰで設定されたＨＡＲＱ−ＡＣＫコードブロックが動的ＨＡＲＱ−ＡＣＫコードブロックである場合にのみＤＡＩフィールドが存在することができる。但し、かかる場合にも、フォールバックＤＣＩは相変わらずカウンタＤＡＩフィールドを有することができる。
【０１４７】
なお、ＢＷＰの実施変更時点を基準としてＤＡＩフィールドが生成されるか又は除外されることができる。ＵＥはＨＡＲＱ−ＡＣＫフィードバックの時、該当ＨＡＲＱ−ＡＣＫフィードバックに対応する下りリンク連関集合内のＰＤＣＣＨが指示する下りリンクＢＷＰが全て同一であると仮定する。即ち、ＨＡＲＱ−ＡＣＫフィードバックに連関するＤＣＩは、いずれも準−静的ＨＡＲＱ−ＡＣＫコードブロックを仮定したものであるか、又は動的ＨＡＲＱ−ＡＣＫコードブロックを仮定したものと言える。具体的には、ＨＡＲＱ−ＡＣＫフィードバックはこれに連関するＤＣＩ内のＢＷＰインデックス及び／又はＡＲ値で区部され、同一のＨＡＲＱ−ＡＣＫフィードバックチャネル(ｆｅｅｄｂａｃｋ ｃｈａｎｎｅｌ)或いは同一のＨＡＲＱ−ＡＣＫフィードバックチャネルグループに対応するＤＣＩは同じ値のＢＷＰインデックス及び／又はＡＲＩ値を有することができる。
【０１４８】
また、検索空間の設定(Ｓｅａｒｃｈ ｓｐａｃｅ ｃｏｎｆｉｇｕｒａｔｉｏｎ)が変わる場合のようにＢＷＰが変更する区間又はＢＷＰが変更される場合、フォールバック動作(ｆａｌｌｂａｃｋ ｏｐｅｒａｔｉｏｎ)が行われることができる。ここで、フォールバック動作とは、ＤＡＩ＝１を有するＤＣＩに基づく動作を意味するか、又は設定されたセルの下りリンク連関集合の１番目のＰＤＣＣＨモニタリング機会でのみＤＣＩを検出する動作を意味する。
【０１４９】
図１８は無線装置１０とネットワークノード２０の間の通信の一例を示すブロック図である。ここで、ネットワークノード２０は図１８の無線装置又はＵＥに代替できる。 
【０１５０】
この明細書において、無線装置１０又はネットワークノード２０は、１つ以上の他の無線装置、ネットワークノード及び／又はネットワークの他の要素と通信するためのトランシーバ(Ｔｒａｎｓｃｅｉｖｅｒ)１１，２１を含む。トランシーバ１１，２１は１つ以上の送信器、１つ以上の受信器及び／又は１つ以上の通信インターフェースを含むことができる。
【０１５１】
また、トランシーバ１１，２１は１つ以上のアンテナを備えることができる。アンテナは、プロセスチップ１２，２２の制御下で本発明の一実施例によって、トランシーバ１１，２１により処理された信号を外部に送信するか、又は外部から無線信号を受信してプロセスチップ１２，２２に伝達する機能を行う。アンテナはアンテナポートとも呼ばれる。各アンテナは１つの物理アンテナに該当するか、１つより多い物理アンテナ要素(ｅｌｅｍｅｎｔ)の組み合わせにより構成されることができる。各アンテナから送信された信号は無線装置１０又はネットワークノード２０によりさらに分割されることはできない。該当アンテナに対応して送信された参照信号(ｒｅｆｅｒｅｎｃｅ ｓｉｇｎａｌ、ＲＳ)は無線装置１０又はネットワークノード２０の観点からしたアンテナを定義し、チャネルが一物理アンテナからの単一の(ｓｉｎｇｌｅ)無線チャネルであるか或いはアンテナを含む複数の物理アンテナ要素からの合成(ｃｏｍｐｏｓｉｔｅ)チャネルであるかに関係なく、無線装置１０又はネットワークノード２０をしてアンテナに対するチャネル推定を可能にする。即ち、アンテナはアンテナ上のシンボルを伝達するチャネルが同一のアンテナ上の他のシンボルが伝達されるチャネルから導き出されるように定義される。複数のアンテナを用いてデータを送受信する多重入出力(Ｍｕｌｔｉ−Ｉｎｐｕｔ Ｍｕｌｔｉ−Ｏｕｔｐｕｔ、ＭＩＭＯ)機能を支援するトランシーバの場合には、２つ以上のアンテナと連結されることができる。
【０１５２】
本発明においてトランシーバ１１，２１は受信ビームフォーミングと送信ビームフォーミングを支援することができる。例えば、本発明においてトランシーバ１１，２１は図９乃至図１１に例示された機能を行うように構成されることができる。
【０１５３】
また、無線装置１０又はネットワークノード２０はプロセスチップ１２，２２を含む。プロセスチップ１２，２２はプロセッサ１３，２３のような少なくとも１つのプロセッサ及びメモリ１４，２４のような少なくとも１つのメモリ装置を含むことができる。
【０１５４】
プロセスチップ１２，２２はこの明細書に説明された方法及び／又はプロセスのうち、少なくとも１つ以上を制御できる。言い換えれば、プロセスチップ１２，２２はこの明細書に記載された少なくとも１つ以上の実施例が行われるように構成される。
【０１５５】
プロセッサ１３，２３はこの明細書に説明された無線装置１０又はネットワークノード２０の機能を行うための少なくとも１つのプロセッサを含む。
【０１５６】
例えば、１つ以上のプロセッサは図２２の１つ以上のトランシーバ１１，２１を制御して情報を送受信できる。
【０１５７】
また、プロセスチップ１２，２２に含まれたプロセッサ１３，２３は、無線装置１０又はネットワークノード２０の外部に送信される信号及び／又はデータに対して所定の符号化(ｃｏｄｉｎｇ)及び変調(ｍｏｄｕｌａｔｉｏｎ)を行った後にトランシーバ１１，２１に送信する。例えば、プロセッサ１３，２３は、送信しようとするデータ列を逆多重化及びチャネル符号化、スクランブル、変調過程などを経てＫ個のレイヤに変換する。符号化されたデータ列はコードワードとも呼ばれ、ＭＡＣ階層が提供するデータブロックである輸送ブロックと等価である。一つの輸送ブロック(ｔｒａｎｓｐｏｒｔ ｂｌｏｃｋ、ＴＢ)は一つのコードワードに符号化され、各コードワードは１つ以上のレイヤ形態で受信装置に送信される。周波数アップコンバートのためにトランシーバ１１，２１はオシレーター(ｏｓｃｉｌｌａｔｏｒ)を含むことができる。トランシーバ１１，２１はＮｔ個(Ｎｔは１以上の正の整数)の送信アンテナを有することができる。
【０１５８】
また、プロセスチップ１２，２２はデータ、プログラミング可能なソフトウェアコード及び／又はこの明細書に説明された実施例を行うための他の情報を貯蔵するように構成されたメモリ１４，２４を含む。
【０１５９】
言い換えれば、この明細書による実施例において、メモリ１４，２４はプロセッサ１３，２３のような少なくとも１つのプロセッサにより実行される(ｅｘｅｃｕｔｅｄ)時、プロセッサ１３，２３をして図１８のプロセッサ１３，２３により制御されるプロセスのうち、一部又は全部を行うか、又は図１乃至図１７に基づいてこの明細書に説明された実施例を行うための命令を含むソフトウェアコード１５，２５を貯蔵する。
【０１６０】
具体的に、本発明の実施例による無線装置１０のプロセスチップ１２は、基地局の上位階層シグナリングにより下りリンク信号受信のための複数のＢＷＰが設定されるようにトランシーバ１１を制御できる。この時、プロセスチップ１２は基地局から複数のＢＷＰのうち、第１ＢＷＰを活性させるためのＤＣＩ及び／又は上位階層シグナリングを受信するようにトランシーバ１１を制御し、活性された第１ＢＷＰで第１ＰＤＳＣＨを受信するようにトランシーバ１１を制御することができる。その後、第１ＢＷＰから第２ＢＷＰに活性ＢＷＰを変更するためのＤＣＩを基地局から受信するようにトランシーバ１１を制御し、変更された活性ＢＷＰである第２ＢＷＰで第２ＰＤＳＣＨを受信するようにトランシーバ１１を制御する。なお、プロセスチップ１２は変更前のＢＷＰで受信した第１ＰＤＳＣＨ及び変更後のＢＷＰで受信した第２ＰＤＳＣＨのうち、少なくとも１つに対するＨＡＲＱ−ＡＣＫを送信するようにトランシーバ１１を制御するが、この時、プロセスチップ１２は説明した実施例１乃至実施例４に基づいてＨＡＲＱ−ＡＣＫを構成して、トランシーバ１１により構成されたＨＡＲＱ−ＡＣＫが送信されるように制御できる。
【０１６１】
また、本発明の実施例によるネットワークノード２０のプロセスチップ２２は、ＵＥに上位階層シグナリングにより下りリンク信号送信のための複数のＢＷＰを設定するようにトランシーバ２１を制御できる。また、プロセスチップ２２は複数のＢＷＰのうち、第１ＢＷＰを活性させるためのＤＣＩ及び／又は上位階層シグナリングをＵＥに送信するようにトランシーバ２１を制御し、活性された第１ＢＷＰで第１ＰＤＳＣＨを送信するようにトランシーバ２１を制御する。その後、第１ＢＷＰから第２ＢＷＰに活性ＢＷＰを変更するためのＤＣＩをＵＥに送信するようにトランシーバ２１を制御し、変更された活性ＢＷＰである第２ＢＷＰで第２ＰＤＳＣＨを送信するようにトランシーバ２１を制御することができる。
【０１６２】
その後、プロセスチップ２２は変更前のＢＷＰで送信した第１ＰＤＳＣＨ及び変更後のＢＷＰで送信した第２ＰＤＳＣＨのうち、少なくとも１つに対するＨＡＲＱ−ＡＣＫをＵＥから受信するようにトランシーバ２１を制御するが、この時、ＨＡＲＱ−ＡＣＫを構成する方法及び受信する方法は、上述した実施例１乃至実施例４に基づく。
【０１６３】
以上説明してきた実施例は、本発明の構成要素及び特徴を所定形態に結合したものである。各構成要素又は特徴は、別の明示的な言及がない限り、選択的なものとして考慮される。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１６４】
本文書で基地局によって行われるとした特定動作は、場合によってはその上位ノード(ｕｐｐｅｒ ｎｏｄｅ)によって行われることもある。即ち、基地局を含む複数のネットワークノード(ｎｅｔｗｏｒｋ ｎｏｄｅｓ)からなるネットワークにおいて端末との通信のために行われる様々な動作は、基地局又は基地局以外の他のネットワークノードによって行われ得ることは明らかである。基地局は、固定局(ｆｉｘｅｄ ｓｔａｔｉｏｎ)、ＮｏｄｅＢ、ｅＮｏｄｅＢ(ｅＮＢ)、アクセスポイント(ａｃｃｅｓｓ ｐｏｉｎｔ)などの用語にしてもよい。
【０１６５】
本発明に係る実施例は、様々な手段、例えば、ハードウェア、ファームウェア(ｆｉｒｍｗａｒｅ)、ソフトウェア又はそれらの結合などによって具現することができる。ハードウェアによる具現では、本発明の一実施例は、一つ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現することができる。
【０１６６】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１６７】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１６８】
以上のようなＨＡＲＱ−ＡＣＫ信号を送受信する方法及びそのための装置は、５世代Ｎｅｗ ＲＡＴシステムに適用される例を中心として説明したが、５世代Ｎｅｗ ＲＡＴシステム以外にも様々な無線通信システムに適用することができる。
【図１】
0006910458.tif 000005
【図２】
0006910458.tif 000006
【図３】
0006910458.tif 000007
【図４】
0006910458.tif 000008
【図５】
0006910458.tif 000009
【図６】
0006910458.tif 000010
【図７】
0006910458.tif 000011
【図８】
0006910458.tif 000012
【図９】
0006910458.tif 000013
【図１０】
0006910458.tif 000014
【図１１】
0006910458.tif 000015
【図１２】
0006910458.tif 000016
【図１３】
0006910458.tif 000017
【図１４】
0006910458.tif 000018
【図１５】
0006910458.tif 000019
【図１６】
0006910458.tif 000020
【図１７】
0006910458.tif 000021
【図１８】
0006910458.tif 000022